【事件の表示】
　特許第６２５０２５８号発明「高吸収性ポリマーおよび有機ＵＶ遮断剤を含む化粧品組成物」の特許異議申立事件について、次のとおり決定する。
【結　論】
　特許第６２５０２５８号の明細書及び特許請求の範囲を、訂正請求書に添付された訂正明細書及び訂正特許請求の範囲のとおり、訂正後の請求項[１−１３］について訂正することを認める。
　特許第６２５０２５８号の請求項１、５〜７、９、１０、１２、１３に係る特許を維持する。
　特許第６２５０２５８号の請求項２〜４、８、１１に係る特許についての特許異議の申立てを却下する。
【理　由】
第１　手続の経緯  
　特許第６２５０２５８号（以下、「本件特許」という。）の請求項１〜１３に係る特許についての出願は、平成２２年６月２３日（優先権主張　平成２１年６月２４日）に特許出願され、平成２９年１２月１日にその特許権の設定登録がなされ、同年１２月２０日に特許掲載公報が発行され、その後、その特許に対し、平成３０年６月２０日に特許許異議申立人　猪瀬則之（以下、「申立人」という。）により特許異議の申立てがされたものである。
　その後の手続は以下のとおりである。
　平成３０年１０月　２日付け　：取消理由通知書  
　　同　　年１２月２８日　　　：訂正請求書、意見書（特許権者）　
　　　　　　　　　　　　　　　　（平成３１年１月４日受付）
　平成３１年　３月１３日　　　：意見書（申立人）　
　　　　　　　　　　　　　　　　（同年３月１４日受付）
　令和　１年　５月２０日付け　：審尋（特許権者）
　　同　　年　６月　７日　　　：回答書（特許権者）　
　　　　　　　　　　　　　　　　（同年６月１０日受付）
　　同　　年　６月２１日付け　：取消理由通知書
　　同　　年　９月２０日　　　：訂正請求書、意見書（特許権者）　
　　　　　　　　　　　　　　　　（同年９月２４日受付）
　なお、令和１年９月２０日付け訂正請求がされたため、平成３０年１２月２８日付け訂正請求は、特許法第１２０条の５第７項の規定により、取り下げられたものとみなす。
　また、令和１年９月２０日付け訂正請求（以下、「本件訂正請求」という。）の訂正事項２（請求項１中の記載を「前記高吸収性ポリマーが・・・１００〜１０００倍の水を自然に吸収することができ」と訂正するもの）による訂正後の請求項１の内容は、平成３０年１２月２８日付け訂正請求（以下、「最初の訂正請求」という。）の訂正事項２（請求項１中の記載を「前記高吸収性ポリマーが・・・１００〜１５００倍の水を自然に吸収することができ」と訂正するもの）による訂正後の請求項１の内容（吸水能の範囲）を更に限定したものであり、その余の訂正事項は本件訂正請求と最初の訂正請求とで同じであり、かつ、最初の訂正請求に対する意見書において申立人は「本件特許の取消理由に関する主張は、すべて異議申立書に詳細に記載したとおりであり、取消理由通知の内容に鑑みれば、審判官殿もその趣旨を十分にご理解頂いているものと思いますので、今回の訂正を踏まえて新たに追加・補足する事項はございません。」と主張するのみで特段新たな主張を行っていないことに鑑み、本件訂正請求については、「特許異議申立人に意見書を提出する機会を与える必要がないと認められる特段の事情」（特許法第１２０条の５第５項ただし書後段）があるものと判断した。
第２　訂正請求について
１　本件訂正請求による訂正及び訂正事項
　本件訂正請求による訂正（以下、「本件訂正」という。）は、一群の請求項である請求項１〜１３に対するものであり、本件特許明細書及び特許請求の範囲を、本件訂正請求書に添付した訂正明細書及び訂正特許請求の範囲のとおり訂正することを求める、というものであって、その具体的な内容は以下のとおりである（下線は、訂正箇所を表す。）。
（１）　訂正事項１ 
　特許請求の範囲の請求項１に 
 「少なくとも1つの水相を形成する成分および少なくとも1つの脂肪相を形成する成分、高吸収性ポリマーおよび少なくとも1種の有機UV遮断剤を含むエマルジョンの形態の化粧品組成物であって、」
と記載されているのを、 
「少なくとも1つの水相を形成する成分および少なくとも1つの脂肪相を形成する成分、高吸収性ポリマー、
シリカ、少なくとも1種の親水性有機UV遮断剤、
親油性
Ｏ／Ｗ
に訂正する。 
（請求項１の記載を引用する請求項５〜７、９、１０、１２、及び１３も同様に訂正する。）  
  
（２）　訂正事項２ 
　特許請求の範囲の請求項１に 
「前記高吸収性ポリマーが、乾燥状態で、ポリマー自体の重量の100〜2000倍の水を自然に吸収することができ」 
と記載されているのを、 
「前記高吸収性ポリマーが、乾燥状態で、ポリマー自体の重量の100〜
1
に訂正する。 
（請求項１の記載を引用する請求項５〜７、９、１０、１２、及び１３も同様に訂正する。） 
  
（３）　訂正事項３ 
　特許請求の範囲の請求項１に 
「かつ架橋アクリルホモポリマーまたはコポリマーから選択されるポリマーである、化粧品組成物。」 
 と記載されているのを、 
「かつ
架橋ポリアクリル酸ナトリウム
に訂正する。 
（請求項１の記載を引用する請求項５〜７、９、１０、１２、及び１３も同様に訂正する。） 
  
（４）　訂正事項４ 
　特許請求の範囲の請求項２を削除する。 
  
（５）　訂正事項５ 
　特許請求の範囲の請求項３を削除する。 
  
（６）　訂正事項６ 
　特許請求の範囲の請求項４を削除する。 
  
（７）　訂正事項７ 
　特許請求の範囲の請求項５に 
「請求項１から４のいずれか一項に記載の組成物」 
と記載されているのを、 
「請求項
１
に訂正する。 
（請求項５の記載を引用する請求項６、７、１２、及び１３も同様に訂正する。） 
  
（８）　訂正事項８ 
　特許請求の範囲の請求項６に 
「請求項１から５のいずれか一項に記載の組成物」 
と記載されているのを、 
「請求項
１または５
に訂正する。 
（請求項６の記載を引用する請求項７、１２、及び１３も同様に訂正する。） 
 　　 
（９）　訂正事項９ 
　特許請求の範囲の請求項７に 
「請求項１から６のいずれか一項に記載の組成物」 
と記載されているのを、 
「請求項
１、５、および６
に訂正する。 
（請求項７の記載を引用する請求項１２及び１３も同様に訂正する。）　 
  
（１０）　訂正事項１０ 
　特許請求の範囲の請求項８を削除する。 
  
（１１）　訂正事項１１ 
　特許請求の範囲の請求項９に 
「請求項８に記載の組成物」 
と記載されているのを、 
「請求項
１
に訂正する。 
（請求項９の記載を引用する請求項１０、１２、及び１３も同様に訂正する。） 
  
（１２）　訂正事項１２ 
　特許請求の範囲の請求項１０に 
「請求項８または９に記載の組成物」 
と記載されているのを、 
「請求項
１
に訂正する。 
（請求項１０の記載を引用する請求項１２及び１３も同様に訂正する。） 
  
（１３）　訂正事項１３ 
　特許請求の範囲の請求項１１を削除する。 
  
（１４）　訂正事項１４ 
　特許請求の範囲の請求項１２に 
「請求項１から１１のいずれか一項に記載の組成物」 
と記載されているのを、 
「請求項１
、５〜７、９および１０
に訂正する。 
（請求項１２の記載を引用する請求項１３も同様に訂正する。） 
  
（１５）　訂正事項１５ 
　特許請求の範囲の請求項１３に 
「請求項１から１２のいずれか一項に記載の組成物」 
と記載されているのを、 
「請求項１
、５〜７、９、１０、および１２
  
（１６）　訂正事項１６ 
　明細書の段落【００１６】の「水溶液」および「溶液」を「水」に訂正する。 
  
（１７）　訂正事項１７ 
　明細書【００１６】の「非吸収されなかった」を「吸収されなかった」に訂正する。 
  
２　訂正要件の検討 
（１）　訂正事項１について 
ア　訂正の目的 
　訂正事項１に係る本件訂正は、有機UV遮断剤の種類、エマルジョンの形態を限定すると共に、化粧品組成物をシリカを配合するものに限定するものであり、特許法第１２０条の５第２項ただし書第１号に掲げる「特許請求の範囲の減縮」を目的とするものである。 
  
イ　新規事項の有無、 
　有機UV遮断剤として、少なくとも1種の親水性有機UV遮断剤及び少なくとも1種の親油性有機UV遮断剤を用いる点は訂正前の請求項８及び請求項１１に各有機UV遮断剤を含むことが記載されており、また、エマルジョンの形態を「Ｏ／Ｗエマルジョン」とすることは特許明細書の段落【０１０５】に記載されており、シリカの配合については段落【０１０６】の表１に記載されている。 
　よって、訂正事項１は、願書に添付した明細書及び特許請求の範囲に記載した事項の範囲内の訂正であり、特許法第１２０条の５第９項で準用する特許法第１２６条第５項の規定に適合するものである。 
  
ウ　特許請求の範囲の拡張・変更の存否 
　訂正事項１に係る本件訂正は、化粧品組成物を更に限定するものであり、実質的に特許請求の範囲を拡張し、又は変更するものには該当せず、特許法第１２０条の５第９項で準用する同法第１２６条第６項の規定に適合するものである。 
  
（２）　訂正事項２について 
ア　訂正の目的 
　訂正事項２に係る本件訂正は、高吸収性ポリマーの水の吸収量の範囲について、その上限値を訂正前の2000倍から1000倍へと限定するものであり、特許法第１２０条の５第２項ただし書第１号に掲げる「特許請求の範囲の減縮」を目的とするものである。 
  
イ　新規事項の有無 
　本件特許明細書の段落【００１５】には、「高吸収性ポリマーは、それ自体の重量の20〜2000倍(すなわち、吸収性ポリマー1グラム当たりに吸収される水が20g〜2000g)、好ましくは30〜1500倍、さらには50〜1000倍の吸水能を有することができる。」と記載されている。 
　よって、訂正事項２は、願書に添付した明細書及び特許請求の範囲に記載した事項の範囲内の訂正であり、特許法第１２０条の５第９項で準用する同法第１２６条第５項の規定に適合するものである。 
  
ウ　特許請求の範囲の拡張・変更の存否 
　訂正事項２に係る本件訂正は、化粧品組成物を更に限定するものであり、実質的に特許請求の範囲を拡張し、又は変更するものには該当せず、特許法第１２０条の５第９項で準用する同法第１２６条第６項の規定に適合するものである。 
  
（３）　訂正事項３について 
ア　訂正の目的 
　訂正事項３に係る本件訂正は、訂正前の「架橋アクリルホモポリマー、またはコポリマーから選択されるポリマー」を「架橋アクリル酸ナトリウムから選択されるポリマー」に限定するものであり、特許法第１２０条の５第２項ただし書第１号に掲げる「特許請求の範囲の減縮」を目的とするものである。 
  
イ　新規事項の有無 
　訂正事項３は、訂正前の請求項４に記載されている。 
　よって、当該訂正事項３は、願書に添付した明細書及び特許請求の範囲に記載した事項の範囲内の訂正であり、特許法第１２０条の５第９項で準用する同法第１２６条第５項の規定に適合するものである。 
  
ウ　特許請求の範囲の拡張・変更の存否 
　訂正事項３に係る本件訂正は、化粧品組成物を更に限定するものであり、実質的に特許請求の範囲を拡張し、又は変更するものには該当せず、特許法第１２０条の５第９項で準用する同法第１２６条第６項の規定に適合するものである。 
  
（４）　訂正事項４〜６、１０、１３について 
ア　訂正の目的 
　訂正事項４〜６、１０、１３に係る本件訂正は、請求項２〜４、８、１１を削除するものであって、特許法第１２０条の５第２項ただし書第１号に掲げる「特許請求の範囲の減縮」を目的とするものである。 
  
イ　新規事項の有無 
　訂正事項４〜６、１０、１３は、請求項を削除するものであるから、願書に添付した明細書及び特許請求の範囲に記載した事項の範囲内の訂正であり、特許法第１２０条の５第９項で準用する同法第１２６条第５項の規定に適合するものである。 
  
ウ　特許請求の範囲の拡張・変更の存否 
　訂正事項４〜６、１０、１３に係る本件訂正は、請求項を削除するものであって、実質的に特許請求の範囲を拡張し、又は変更するものには該当せず、特許法第１２０条の５第９項で準用する同法第１２６条第６項の規定に適合するものである。 
  
（５）　訂正事項７〜９、１１、１２、１４、１５について 
ア　訂正の目的 
　訂正事項７〜９に係る本件訂正は、訂正前の請求項５〜７において、訂正前の請求項１〜４を引用していたところ、上記（４）の訂正により請求項２〜４が削除されたため、引用する請求項から削除された請求項を除いて限定して整合をとったものであり、特許法第１２０条の５第２項ただし書第１号に掲げる「特許請求の範囲の減縮」を目的とするものである。 
　また、訂正事項１１、１２は、訂正前の請求項９、１０において訂正前の請求項８が引用されていたところ、上記（１）の訂正により訂正前の請求項８に記載されていた事項が訂正後の請求項１に追加され、請求項８が削除されたため、訂正後の請求項９、１０において請求項１を引用することとして整合をとったものであり、特許法第１２０条の５第２項ただし書第３号に掲げる「明瞭でない記載の釈明」を目的とするものである。 
　訂正事項１４、１５は、訂正前の請求項１２及び１３において請求項１〜１１又は１〜１２が引用されていたところ、上記（４）の訂正により訂正後の請求項２〜４、８、１１が削除されたため、引用する請求項から削除された請求項を除いて限定して整合をとったものであり、特許法第１２０条の５第２項ただし書第１号に掲げる「特許請求の範囲の減縮」を目的とするものである。
イ　新規事項の有無 
　訂正事項７〜９、１１、１２、１４、１５は、他の請求項の削除又は他の請求項の限定にともなって当該請求項の記載を整合させるだけのものであるから、願書に添付した明細書及び特許請求の範囲に記載した事項の範囲内の訂正であり、特許法第１２０条の５第９項で準用する同法第１２６条第５項の規定に適合するものである。 
  
ウ　特許請求の範囲の拡張・変更の存否 
　訂正事項７〜９、１１、１２、１４、１５に係る本件訂正は、他の請求項の削除又は他の請求項の限定にともなって、当該請求項の記載を整合させるだけのものであるから、実質的に特許請求の範囲を拡張し、又は変更するものには該当せず、特許法第１２０条の５第９項で準用する同法第１２６条第６項の規定に適合するものである。 
  
（６）　訂正事項１６について 
ア　訂正の目的 
　訂正事項１６に係る本件訂正は、請求項１に規定される高吸水性ポリマーの吸水能の値（ポリマー自体の重量の１００〜１０００倍）の測定方法について、不明瞭な記載であった段落【００１６】の「水溶液」及び「溶液」との記載を「水」とすることにより当該記載の意味を明瞭とするものであり、特許法第１２０条の５第２項ただし書第３号に掲げる「明瞭でない記載の釈明」を目的とするものである。 
  
イ　新規事項の有無、 
　段落【００１６】は高吸水性ポリマーの吸水能の値の測定方法について、「吸水されなかった水を秤量する」と記載されており、この記載から当該段落に記載の「水溶液」及び「溶液」が「水」を意味することは明らかであるから、訂正事項１６は、願書に添付した明細書及び特許請求の範囲に記載した事項の範囲内の訂正であり、特許法第１２０条の５第９項で準用する同法第１２６条第５項の規定に適合するものである。 
  
ウ　特許請求の範囲の拡張・変更の存否 
　訂正事項１６に係る本件訂正は、不明瞭な記載を明瞭にするだけのものであって、実質的に特許請求の範囲を拡張し、又は変更するものには該当せず、特許法第１２０条の５第９項で準用する同法第１２６条第６項の規定に適合するものである。 
  
（７）　訂正事項１７について 
ア　訂正の目的 
　訂正事項１７に係る本件訂正は、本件外国語書面の第３頁第１８行の「ｎｏｎａｂｓｏｒｐｔｅｄ」を「非吸収されなかった」と誤訳したものを正しい「吸収されなかった」へ訂正するものであり、特許法第１２０条の５第２項ただし書第２号に掲げる「誤訳の訂正」を目的とするものである。 
  
イ　新規事項の有無 
　訂正事項１７は、段落【００１６】に記載の高吸水性ポリマーの吸水能の値の測定方法についての誤訳を、外国語書面の正確な翻訳に基づいて正すものであって、外国語書面に記載した事項の範囲内の訂正であり、特許法第１２０条の５第９項で準用する同法第１２６条第５項の規定に適合するものである。 
  
ウ　特許請求の範囲の拡張・変更の存否 
　訂正事項１７に係る本件訂正は、段落【００１６】に記載の高吸水性ポリマーの吸水能の測定方法における誤訳を外国語書面の正確な翻訳に基づいて正すものであり、実質的に特許請求の範囲を拡張し、又は変更するものには該当せず、特許法第１２０条の５第９項で準用する同法第１２６条第６項の規定に適合するものである。 
  
（８）　特許出願の際に独立して特許を受けることができるか否かについて
　本件特許異議の申立は、全請求項に対してされているので、訂正事項１〜１７について、特許法第１２０条の５第９項で読み替えて準用する同法第１２６条第７項に規定する特許独立要件は課されない。 
  
（９）　小括 
　以上のとおり、本件訂正は、特許法第１２０条の５第２項ただし書第１〜３号に掲げる事項を目的とするものであり、同条第９項で準用する同法第１２６条第５項及び第６項の規定に適合する。 
　したがって、本件明細書及び特許請求の範囲を、訂正請求書に添付された訂正明細書及び訂正特許請求の範囲のとおり、訂正後の請求項〔１−１３〕について訂正することを認める。 
  
  
第３　本件発明 
　本件訂正により訂正された請求項１〜１３に係る発明は、以下のとおりである（以下、請求項順に「本件発明１」等という。また、本件発明１、５〜７、９、１０、１２、１３をまとめて「本件発明」ともいう。）。
 
「【請求項１】 
　少なくとも1つの水相を形成する成分および少なくとも1つの脂肪相を形成する成分、高吸収性ポリマー、シリカ、少なくとも1種の親水性有機UV遮断剤、および少なくとも1種の親油性有機UV遮断剤を含むＯ／Ｗエマルジョンの形態の化粧品組成物であって、 
　前記高吸収性ポリマーが、乾燥状態で、ポリマー自体の重量の100〜1000倍の水を自然に吸収することができ、かつ架橋ポリアクリル酸ナトリウムから選択されるポリマーである、化粧品組成物。 
【請求項２】 
　（削除） 
【請求項３】 
　（削除） 
【請求項４】 
　（削除） 
【請求項５】 
　高吸収性ポリマーが、水の吸収後、水中で不溶性のままであることを特徴とする、請求項１に記載の組成物。 
【請求項６】 
　高吸収性ポリマーが球状粒子の形態で提供されることを特徴とする、請求項１または５に記載の組成物。 
【請求項７】 
　高吸収性ポリマーが、組成物の全重量に対して0.03〜15重量%の含有量で存在することを特徴とする、請求項１、５、および６のいずれか一項に記載の組成物。 
【請求項８】 
　（削除）　 
【請求項９】 
　親油性有機UV遮断剤が、パラアミノ安息香酸誘導体、サリチル酸誘導体、ケイ皮酸誘導体、ベンゾフェノンまたはアミノベンゾフェノン、アントラニル酸誘導体、ジベンゾイルメタン誘導体、β,β-ジフェニルアクリラート誘導体、ベンジリデンカンファー誘導体、フェニルベンゾイミダゾール誘導体、ベンゾトリアゾール誘導体、トリアジン誘導体、ビスレソルシニルトリアジン、イミダゾリン誘導体、ベンザルマロナート誘導体、4,4-ジアリールブタジエン誘導体、ベンゾオキサゾール誘導体、メロシアニン、ジフェニルブタジエンマロナート誘導体またはジフェニルブタジエンマロニトリル誘導体、カルコンおよびそれらの混合物 
から選択されることを特徴とする、請求項１に記載の組成物。 
【請求項１０】 
　親油性有機UV遮断剤が、 
　サリチル酸誘導体、 
　ケイ皮酸誘導体、 
　β,β-ジフェニルアクリラート誘導体、 
　ジベンゾイルメタン誘導体、 
　トリアジン誘導体、 
　ベンゾトリアゾール誘導体、 
　およびそれらの混合物 
から選択されることを特徴とする、請求項１または９に記載の組成物。 
【請求項１１】 
　（削除） 
【請求項１２】 
　有機UV遮断剤が、組成物の全重量に対して0.05〜30重量%の割合で存在することを特徴とする、請求項１、５〜７、９、および１０のいずれか一項に記載の組成物。 
【請求項１３】 
　請求項１、５〜７、９、１０、および１２のいずれか一項により定義される化粧品組成物が、角質性物質に適用されることを特徴とする、角質性物質の美容的処置方法。」 
 
第４　取消理由通知に記載した取消理由について
１　令和１年６月２１日付けで通知した取消理由の概要　　
「１．（実施可能要件）この出願は、発明の詳細な説明の記載が下記の点で、特許法第３６条第４項第１号に規定する要件を満たしていない。  
２．（サポート要件）この出願は、特許請求の範囲の記載が下記の点で、特許法第３６条第６項第１号に規定する要件を満たしていない。 」
２　平成３０年１０月２日付けで通知した取消理由の概要
「１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。  
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。  
３．（実施可能要件）この出願は、発明の詳細な説明の記載が下記の点で、特許法第３６条第４項第１号に規定する要件を満たしていない。 
４．（サポート要件）この出願は、特許請求の範囲の記載が下記の点で、特許法第３６条第６項第１号に規定する要件を満たしていない。 
５．（明確性）この出願は、特許請求の範囲の記載が下記の点で、特許法第３６条第６項第２号に規定する要件を満たしていない。 
　　　　　　　記　　　（引用文献等については引用文献等一覧参照） 」
「＜１＞ 
●理由１（新規性）、理由２（進歩性） 
 ・請求項　１〜１３ 
 ・引用文献等　１、２、５」 
「＜２＞ 
●理由１（新規性）、理由２（進歩性） 
 ・請求項　１〜１３ 
 ・引用文献等　２、５、７」 
「＜３＞ 
●理由５（明確性） 
 ・請求項　１〜１３」
「＜４＞ 
●理由４（サポート要件） 
 ・請求項　１〜１３」
「＜５＞ 
●理由３（実施可能要件）、理由４（サポート要件） 
 ・請求項　１〜１３ 」
「＜引用文献等一覧＞ 
１．特開昭６３−２９０８１１号公報 
２．特開平０５−０７０３２２号公報 
３．「ＣＴＦＡ　Ｉｎｔｅｒｎａｔｉｏｎａｌ　Ｃｏｓｍｅｔｉｃ　Ｉｎｇｒｅｄｉｅｎｔ　Ｄｉｃｔｉｏｎａｒｙ　Ｆｏｕｒｔｈ　Ｅｄｉｔｉｏｎ」，　１９９１年，　Ｔｈｅ　Ｃｏｃｍｅｔｉｃ，　Ｔｏｉｌｅｔａｒｙ，　ａｎｄ　Ｆｒａｇｒａｎｃｅ　Ａｓｓｏｃｉａｔｉｏｎ発行，　ｐ．５５８
４．「Ｓａｎｗｅｔ　Ｃｏｓｍｅｔｉｃ　Ｇｒａｄｅ　Ｐｏｌｙｍｅｒｓ」のカタログ，　１９９１年，　Ｈｏｅｃｈｓｔ　Ｃｅｌａｎｅｓｅ社 
５．「Ｓｕｐｅｒ　Ａｂｓｏｒｂｅｎｔ　Ｐｏｌｙｍｅｒ　ＳＡＮＷＥＴ　ＩＭ−３００　ＳＡＮＷＥＴ　ＩＭ−１０００」のデータシート，　１９８２年１０月，　三洋化成工業株式会社 
６．特開２００７−１５３８９８号公報 
７．「ＦＬＯＣＡＲＥ」のカタログ，　２００８年５月，　ＳＮＦ　ＣＯＳＭＥＴＩＣＳ 
８．神保元二ら編集，　「微粒子ハンドブック」，　初版第１刷，　株式会社朝倉書店発行，　１９９１年９月１日，　ｐ．５２〜５４ 
９．椿淳一郎ら著，　「現場で役立つ粒子径計測技術」，　初版１刷,　日刊工業新聞社発行,　２００１年１０月２６日,　ｐ．３〜６ 
１０．「ＳＹＬＯＩＤ（Ｒ）　Ｓｉｌｉｃａｓ　ｆｏｒ　Ｓｕｎｃａｒｅ　Ａｐｐｌｉｃａｔｉｏｎｓ」のカタログ,　２０１４年，　ＧＲＡＣＥ社 
１１．ジーエス・サイエンス株式会社のホームページ（ｈｔｔｐ：／／ｗｗｗ．ｇｓ−ｓｃｉｅｎｃｅ．ｃｏ．ｊｐ／ｐｒｏｄｕｃｔ／ｃｒｅａｍ．ｈｔｍｌ） 
１２．株式会社イプロスのホームページ（ｈｔｔｐｓ：／／ｗｗｗ．ｉｐｒｏｓ．ｊｐ／ｐｒｏｄｕｃｔ／ｄｅｔａｉｌ／２００００２１２４５２／）
１３．住友精化株式会社のホームページ（ｈｔｔｐｓ：／／ｗｗｗ．ｓｕｍｉｔｏｍｏｓｅｉｋａ．ｃｏ．ｊｐ／ｐｒｏｄｕｃｔ／ｄｅｔａｉｌ．ｐｈｐ？ｉｄ＝１１８） 」
３　令和１年６月２１日付けで通知した取消理由に対する当審の判断
（１）　理由１、２の具体的な内容
　「本件発明の課題は、本件特許明細書の段落【０００３】、【０００４】、【０００７】、【０００８】からみて、べたつく作用を低下させた、有機UV遮断剤、高吸水性ポリマーを含んだエマルジョン化粧品組成物を提供することであると認められる。 
　そして、訂正（合議体注：平成３０年１２月２８日付け訂正請求による訂正）により、本件発明１は、「高吸収性ポリマーが、乾燥状態で、ポリマー自体の重量の100〜1500倍の水を自然に吸収することができ、かつ架橋ポリアクリル酸ナトリウムから選択されるポリマーである」ことが発明特定事項となったところ、１５００倍のような高い吸水能を示す架橋ポリアクリル酸ナトリウムから選択される高吸水性ポリマーを実際に製造し、使用することは、本件特許明細書に示されていない。 
　また、１５００倍のような高い吸水能を示す高吸水性ポリマーについて、特許権者が平成３０年１２月２８日に提出した意見書をみても具体的に製造し、使用できることについての説明はなく、当該意見書とともに提出した「ＡＱＵＡ　ＫＥＥＰ」のカタログにも、吸水能は最大でも８００倍程度の例しか記載されていない。 
　したがって、本件特許明細書の発明の詳細な説明は、１５００倍のような高い吸水能を示す架橋ポリアクリル酸ナトリウムから選択される高吸水性ポリマーを、実際に製造し、使用して、当業者が本件発明１を実施できるように、明確かつ十分に記載されているとはいえない。 
　同様に、本件の発明の詳細な説明は、１５００倍のような高い吸水能を示す架橋ポリアクリル酸ナトリウムから選択される高吸水性ポリマーを製造し、使用することができるように記載されておらず、それができることが出願時の技術常識から明らかであるとする具体的な根拠もないから、当該ポリマーを用いた本件発明１について、上記課題を解決できると直ちには認めることはできない。
　請求項１を直接又は間接的に引用する本件発明５〜７、９、１０、１２、１３についても上記１と同じ理由が該当する。」
（２）　判断
　本件訂正により、「高吸収性ポリマーが、乾燥状態で、ポリマー自体の重量の100〜1000倍の水を自然に吸収することができ、かつ架橋ポリアクリル酸ナトリウムから選択されるポリマーである」ことが発明特定事項となり、高吸水性ポリマーの吸水能の上限が1000倍となった。
　そして、特許権者が提示したＡＱＵＡ　ＫＥＥＰのカタログ（平成３０年１２月２８日提出の意見書の添付資料）に記載の吸水能が約８００倍のポリマーの例（本件発明１の実施例に用いたポリマーに相当）及び技術常識からすれば、高吸水性ポリマーの吸水能が１００〜１０００倍程度の範囲であれば、当業者はそのようなポリマーを製造・使用することができるものと認められる。
　そうすると、本件訂正により、本件発明１は、当業者が実施をすることができるものとなり、また、上記課題を解決できる範囲のものとなったから、理由１、２は解消した。
４　平成３０年１０月２日付けで通知した取消理由に対する当審の判断
（１）理由１（新規性）、理由２（進歩性）について
ア　引用文献に記載された事項
　引用文献１、２、５及び７（それぞれ申立人が提出した甲第１、２、５及び７号証に対応する。）には、以下の記載がある。 
（ア）　引用文献１に記載された事項
（１−１）　「１．（Ａ）デンプンおよびセルロースからなる種類から選ばれる少なくとも１種の多糖、（Ｂ）水溶性であるか加水分解によって水溶性になる重合性二重結合を有する少なくとも１種の単量体、および（Ｃ）架橋剤を重合し、そして単量体（Ｂ）が加水分解によって水溶性になるものであるならば、その後に得られた生成物を加水分解に付すことを含む方法によって得ることができる有効なスキンモイスチャライジング量の吸水性樹脂重合体が均一に分散された少なくとも１つの水相を含むことを特徴とするスキンモイスチャライジング乳濁液組成物。」（特許請求の範囲） 
  
（１−２）　「本発明は、特定のゲル化剤樹脂物質の、乳濁液の水相への添加によって改良されたスキンモイスチャライジング活性を有する乳濁液型の化粧スキンケア製剤に関する。」（第２頁左上欄末行〜右上欄第３行） 
  
（１−３）　「スキンケア乳濁液組成物におけるモイスチャライジング活性の顕著な増大は、特定の乳濁液系の水相に特定のデンプンまたはセルロースをベースとする吸水性樹脂を配合することによって得ることができることが今見出された。・・・最も好ましいデンプンをベースとする吸水性樹脂重合体は、デンプン−アクリレートグラフト重合体と属的に表され、かつ成分（Ａ）多糖としての天然デンプン；成分（Ｂ）水溶性単量体としての、重合性二重結合を有しかつ（メタ）アクリル酸、その無水物およびその塩（例えば、アルカリ金属塩、最も好ましくはナトリウム塩）からなる群から選ばれる水溶性モノエチレン性不飽和単量体；および成分（Ｃ）架橋剤、例えば、Ｎ，Ｎ−アルキレン（Ｃ１〜Ｃ６）ビス−（メタ）アクリルアミド（Ｎ，Ｎ−メチレンビスアクリルアミドが最も好ましい）の重合によって得ることができるものである。（メタ）アクリル酸ナトリウムを単量体（Ｂ）として利用する時には、得られた重合体は、「デンプングラフトポリアクリル酸ナトリウム」とも称す。 
　デンプングラフトポリアクリル酸ナトリウムの特に好適な商業的製剤は、米国の供給業者、バージニア州ポートスミスのセラニーズ・スーパーアブソーベント・マテリアルズから入手でき。数字によって同定された等級、例えば、サンウェット（ＳＡＮＷＥＴＲ）ＩＭ−１０００、ＩＭ−１５００およびＩＭ−２５００で商標「サンウェット」で市販されている。前記供給業者によるこの商業的製剤は、その主成分として、次式 
  
によって構造的に表すことができるデンプングラフトポリアクリル酸ナトリウムを有し、そしてまた微量成分として、若干の低分子量および高分子量ポリアクリル酸ナトリウムおよび若干の低分子量デンプンおよび少量の水分を含有する。」（第２頁左下欄第１３行〜第３頁右下欄第５行） 
  
（１−４）　「一般に、乳濁液組成物の全重量に対して少なくとも約０．０１重量％、好ましくは約０．１〜約５重量％の吸水性樹脂重合体は、乳濁液組成物のモイスチャライジング活性を有効に与えるか高めるのに十分であろう。・・・吸水性樹脂重合体は、優秀なゲル化剤物質であるが、本質上水不溶性であり、水または水相への添加は化粧エレガンスの観点から有利であるとは思われない若干固まった外観を有する個々に水和された粒子のゲルまたはスラリーを生ずる。」（第３頁右下欄第１８行〜第４頁左上欄末行） 
  
（１−５）　「１以上の化粧上許容可能な成分は、例えば、化粧上エレガントであるとともに多機能な製品、例えば、モイスチャライジングおよび日やけどめ活性を有するもの（本発明の好ましい態様）、モイスチャライジングおよびスキンコンディショニング活性を有するものなどを与えるために本乳濁液に配合できることが理解されるであろう。このような成分としては、希釈剤、増粘剤、安定剤、保湿剤、エモリエント、防腐剤、酸化防止剤、着色剤、発臭剤、コンディショナー、補助乳化剤、乳白剤、紫外線吸収日やけどめ剤および他の通常の化粧上許容可能な添加剤の１以上が挙げられる。特定の添加剤の溶解度または混和特性に応じて、添加剤は、最も好適であるいずれかの乳濁液相に配合できる。」（第４頁右下欄第１７行〜第５頁左上欄第１１行） 
  
（１−６）　「皮膚柔軟性試験 
　本乳濁液組成物の局所適用に従ってヒトの皮膚上で得られる増大モイスチャライジング効果は、ガスベアリング電流力計（Ｇａｓ　Ｂｅａｒｉｎｇ　Ｅｌｅｃｔｒｏｄｙｎａｍｏｍｅｔｅｒ）として既知の機器を使用して皮膚柔軟性を測定する方法（以下時々「皮膚柔軟性試験」と称す）で実証できる。・・・皮膚の柔軟性に対するモイスチャライザーの効果の測定は、Ｓ．ジャケス等によって・・・皮膚の表面層（角質層）のモイスチャライゼーションの程度と相関することが示されている。」（第５頁左下欄第６行〜右下欄第５行） 
  
（１−７）　「例Ｉ 
　陰イオン乳化剤系を有する水中油型日やけどめ乳濁液は・・・下記成分からライトクリームの形態で調製する。水相中に吸水性樹脂重合体を含有しない乳濁液は、化粧スキンケア乳濁液ベースを実証する。この化粧スキンケア乳濁液ベースに、下記例で示すように、前記樹脂重合体が配合できる。 
　成分　　　　　　　　　　　　　　　　　　　　　　％Ｗ／Ｗ 
　水相： 
　　メチルパラベン（防腐剤）　　　　　　　　　　　０．２０ 
　　パンテチン（モイスチャライザー）　　　　　　　０．１０ 
　　カルボマー９３４（増粘剤）　　　　　　　　　　０．０８ 
　　水酸化ナトリウム１０％（中和剤）　　　　　　　１．００ 
　　精製水（１００％ｗ／ｗとする） 
　油相： 
　　重鉱油　　　　　　　　　　　　　　　　　　　　４．００ 
　　ステアリン酸、ダブルプレス（陰イオン乳化剤）　３．００ 
　　コレステロール（補助乳化剤）　　　　　　　　　１．００ 
　　セチルアルコール（補助乳化剤）　　　　　　　　１．８０ 
　　ヒマシ油（エモリエント）　　　　　　　　　　　１．００ 
　　パルミチン酸セチル（エモリエント）　　　　　　１．２０ 
　　オクチルジメチルＰＡＢＡ（紫外線吸収剤）　　　１．４０　　　　 
　　プロピルパラベン（防腐剤）　　　　　　　　　　０．１０ 
・・・ 
例ＩＩ 
　例Ｉの水中油型乳濁液は、デンプンをベースとする吸水性樹脂重合体０．０１重量％を水相に均一に分散することによって変性する。セラニーズのデンプングラフトポリアクリル酸ナトリウム製品、サンウェットＩＭ−１０００微粉砕（ＦＧ）粉末をゲル化剤樹脂物質として使用する。例Ｉの水酸化ナトリウム中和工程後、平均粒径５０μ未満〔ヘグマン（Ｈｅｇｍａｎ）２５０〜０μゲージ）〕を有する均質分散液が得られるまで、サンウェットＩＭ−１０００を高速分散装置を備えた容器中で強剪断下に加熱水相にゆっくりと加える。油相を例Ｉと同様に調製し、加えてｏ／ｗ乳濁液を完成する。 
　このようにして得られたゲル化剤樹脂物質を有するｏ／ｗ乳濁液を前記ゲル化剤なしの例Ｉのｏ／ｗ乳濁液との直接比較試験においてモイスチャライジング活性に関して試験する。前記皮膚柔軟性試験から得られた下記結果は、本例のｏ／ｗ乳濁液の優れたモイスチャライジング活性を示す。・・・」（第７頁左上欄第１行〜第８頁左上欄） 
  
（１−８）　「例　ＩＩＩ 
　例Ｉの水中油型乳濁液は、例ＩＩの方法に従うことによってサンウェットＩＭ−１０００（ＦＧ）０．１重量％を水相に配合することによって変性し、得られたｏ／ｗ乳濁液は、モイスチャライジング活性に関して例Ｉのベース乳濁液と比較する。表示されたデータは、デンプンをベースとする吸水性樹脂重合体に起因する改良モイスチャライジング効果を示す。・・・ 
　本例のクリーム状乳濁液組成物は、化粧スキンローションを適用する通常の方法で皮膚にすり込み、太陽保護活性を与えることに加えて、皮膚に潤いを与えかつ皮膚を柔軟化する非油状被覆物を有する皮膚を残す。」（第８頁右上欄第１行〜右下欄第５行） 
  
（１−９）　「例　ＩＶ 
　本例においては、非イオン乳化剤系を有する水中油型日やけどめ乳濁液ローションは、例Ｉの一般法によって下記成分（化学名またはＣＴＦＡ名によって示す）から調製する。吸水性樹脂重合体を含有していない乳濁液を次の例でベース処方物 
　成分　　　　　　　　　　　　　　　　　　　　　　　　％ｗ／ｗ 
　水相： 
　　メチルパラベン（防腐剤）　　　　　　　　　　　　　０．２２５ 
　　パンテチン（モイスチャライザー）　　　　　　　　　０．１ 
　　イミダゾリジニル尿素（防腐剤）　　　　　　　　　　０．２ 
　　コロイドオートミル（スキンコンディショナー）　　　０．４ 
　　グリセレト−７−トリアセテート（エモリエント）★　１．０ 
　　精製水（１００％ｗ／ｗとする） 
　油相： 
　　重鉱油　　　　　　　　　　　　　　　　　　　　　　２．０ 
　　コレステロール（補助乳化剤）　　　　　　　　　　　１．２ 
　　オクチルメトキシシンナメート（紫外線吸収剤）　　　２．０ 
　　ＰＰＧ−２０メチルグルコースエーテルジステアレート（エモリエント＆補助乳化剤）　　　　　　　　　　　　　　　　　　　　０．４ 
　　プロピルパラベン（防腐剤）　　　　　　　　　　　　０．１５ 
　　水素添加パームグリセリドおよびセチルアルコールおよびＴＥＡ−イソステアロイル加水分解コラーゲン（第一級非イオン乳化剤）★★　
　　　　　　　　　　　　　　　　　　　　　　　　　　　１．６ 
　　セチルアルコール（補助乳化剤）　　　　　　　　　　０．２ 
　　ミリスチルアルコール（補助乳化剤）　　　　　　　　０．２ 
　　シクロメチコン（潤滑剤）　　　　　　　　　　　　　０．５ 
・・・ 
例　Ｖ 
　例ＩＶの水中油型乳濁液は、サンウェットＩＭ−１０００（ＦＧ）０．４重量％を水相に配合することによって変性する。・・・別個の容器において、サンウェットＩＭ−１０００（０．４％）をグリセレト−７−トリアセテートに加えて、樹脂ゲル化剤の湿潤分散液を調製する。ヘグマンゲージで５０μの平均粒径を有する樹脂ゲル化剤の均一な分散液が得られるまで、この分散液をインライン・テクマーを通しての再循環での水相の混合によって形成された渦にゆっくりと加える。水性分散液を連続混合下に７５〜７８℃に加熱しながら容器に移す。 
　別個の混合容器において、鉱油および油相成分を加え、約８０〜８２℃に加熱しながら混合して均一な油相を形成する。高速機械的分散装置を使用して、加熱された油相を加熱された水相にゆっくりと加え、均質なｏ／ｗ乳濁液が得られるまで、混合を続け、冷却によって室温とする。 
　下記結果が、モイスチャライジング活性の比較において得られる。・・・」（第８頁右下欄第６行〜第１０頁左上欄） 
  
（１−１０）　「例　ＶＩ 
　本例においては、ローション形態の下記多相（ダブル乳濁液）シリコーン流体中水中油型スキンケア乳濁液は、下記成分（化学名またはＣＴＦＡ名によって示す）から調製する。 
　成分　　　　　　　　　　　　　　　　　　　　　　　　％ｗ／ｗ 
　水相： 
　　精製水　　　　　　　　　　　　　　　　　　　　　　６１．１７ 
　　パンテチン、８０％水溶液（保湿剤）　　　　　　　　　０．１０ 
　　メチルパラベン（防腐剤）　　　　　　　　　　　　　　０．２０ 
　　カルボマー９４０（増粘剤）　　　　　　　　　　　　　０．１０ 
　　グリセリン（保湿剤）　　　　　　　　　　　　　　　　２．５０ 
　　アルキルポリエーテルスルホン酸ナトリウム（陰イオン乳化剤）
　　　　　　　　　　　　　　　　　　　　　　　　　　　　１．２５ 
　油相： 
　　重鉱油　　　　　　　　　　　　　　　　　　　　　　　１．７５ 
　　コレステロール（エモリエント＆補助乳化剤）　　　　　１．００ 
　　パルミチン酸セチル（補助乳化剤）　　　　　　　　　　０．２０ 
　　ＰＥＧ−２２／ドデシルグリコール共重合体（乳化剤）　０．２０ 
　　エチルパラベン（防腐剤）　　　　　　　　　　　　　　０．１０ 
　　プロピルパラベン（防腐剤）　　　　　　　　　　　　　０．１５ 
　中和剤塩基： 
　　トリエタノールアミン　　　　　　　　　　　　　　　　０．１０ 
　着色剤および芳香剤： 
　　ＦＤ＆ＣレッドＮｏ．４（１％水溶液）　　　　　　　　０．０３ 
　　芳香油　　　　　　　　　　　　　　　　　　　　　　　０．３０ 
　シリコーン相： 
　　シクロメチコン／ジメチコンコポリオール（９０：１０）９．５０ 
　　シクロメチコン／ミメチコノール（１３：８７）　　　　５．００ 
　　シクロメチコン　　　　　　　　　　　　　　　　　　　３．００ 
　　フェニルジメチコン　　　　　　　　　　　　　　　　　１．００ 
　　パレト−１５−３（補助乳化剤）　　　　　　　　　　　２．００ 
　　オクチルメトキシシンナメート（紫外線吸収剤）　　　　７．００ 
　　ベンゾフェノン−３（紫外線吸収剤）　　　　　　　　　０．５０ 
　　Ｃ１２〜１５アルコールベンゾエート（可溶化剤）　　　２．８５ 
　　　　　　　　　　　　　　　　　　　　　　　　　　１００．００ 
・・・ 
例　ＶＩＩ 
　例ＶＩのシリコーン流体中水中油（ｏ／ｗ／ｓ）型乳濁液は、均一な分散液が得られるまで、高剪断混合を使用してカルボマー添加後にサンウェットＩＭ−１０００（ＦＧ）０．１重量％を水相に配合することによって変性する。下記結果が、モイスチャライジング活性の比較において得られる。・・・」（第１０頁右上欄第１行〜第１１頁左下欄） 
  
（イ）　引用文献２に記載された事項
（２−１）　「【請求項１】吸水性ポリマー０．１〜１０重量％及び次の一般式（１） 
【化１】 
  
 （式中、ｘは４〜５００の数を示す）で表わされるジメチルポリシロキサン１〜２０重量％を含有することを特徴とする油中水型乳化化粧料。 
【請求項２】 更に紫外線吸収剤を含有することを特徴とする請求項１記載の油中水型乳化化粧料。」（特許請求の範囲） 
  
（２−２）　「【０００９】本発明に用いられる吸収性ポリマーとしては、水分を吸収する作用を有するポリマーであれば特に制限されず、例えばカラギーナン、ゼラチン、寒天、トラガントゴム、ビスコース、メチルセルロース、エチルセルロース、ヒドロキシエチルセルロース、カルボキシメチルセルロース、ポリビニルアルコール等に由来する含水ゲルを多価金属塩の添加により安定化せしめたものが挙げられる。 
【００１０】更に、アクリル酸若しくはメタクリル酸〔以下、「（メタ）アクリル酸」と略称する〕、（メタ）アクリル酸のナトリウム、アンモニウム等の塩類；（メタ）アクリルアミド；Ｎ−置換（メタ）アクリルアミド、２−（メタ）アクリロイルエタンスルホン酸またはその塩、スチレンスルホン酸またはその塩、２−ヒドロキシ（メタ）アクリレート、ビニルピロリドン、ビニルメチルエーテル、ポリエチレンオキシド（メタ）アクリル酸エステル等の単独重合体またはこれら単量体を２種以上用いた共重合体の架橋体；酢酸ビニル−アクリル酸メチル共重合体鹸化物、酢酸ビニル−マレイン酸共重合体鹸化物、このハーフエステル若しくはハーフアミド、イソブチレン−無水マレイン酸共重合体鹸化物、このハーフエステル若しくはハーフアミド等の架橋体； 
【００１１】スチレン−無水マレインナトリウム共重合体鹸化物、そのハーフエステル若しくはハーフアミド、澱粉−アクリル酸グラフト重合体、多糖類−アクリル酸グラフト重合体、澱粉−アクリロニトリルグラフト重合体の加水分解物等が挙げられる。架橋体を形成させる方法として、上記単量体または単量体混合物を、多官能性ビニル単量体、または分子内に少なくとも２個のビニル基以外の官能基、例えばエポキシ基等を有する架橋剤と混合し、公知の方法により重合することにより適当な弾性をもつ高分子とする方法も挙げられる。また、単独または共重合体を得た後、架橋剤を公知の方法により反応させることにより、適当な弾性を有する高分子とすることもできる。
 ・・・ 
【００１３】本発明に用いられる吸水性ポリマーは吸液量２以上のものが好ましく、吸液量が２未満では充分なべとつき低減効果の持続性が得られない。なお、吸液量は次の測定法により求められる。 
吸液量測定法：ポリマー１．０ｇを、大過剰の生理食塩水に十分膨潤させた後、室温で３０分間放置し、ゲル部分をろ紙でろ過して求めた重量を測定し、ポリマー１ｇ当りの生理食塩水量（ｇ）を吸液量とする。また、吸水性ポリマーの粒径及び形状は特に制限されないが、球状で乾燥時の平均粒径が５０μ以下のものが好ましい。 
【００１４】吸水性ポリマーの本発明乳化化粧料への含有量は０．１〜１０重量％であるが、特に２〜８重量％とすることが好ましい。」 
  
（２−３）　「【００２８】一方、上記の乳化化粧料に、紫外線吸収剤を更に加えると、紫外線吸収剤が汗等により流出せず、紫外線防止効果が持続する化粧料とすることができる。ここで用いる紫外線吸収剤としては、メトキシケイ皮酸オクチル（ジボダン社製パルソールＭＣＸ ＳＡ）、酸化チタン、酸化亜鉛及び前記した疎水化処理粉体、４−ｔｅｒｔ−ブチル−４’−メトキシ−ジベンゾイルメタン（ジボダン社製、パルソール１７８９）等が挙げられる。また製法は常法により行なえばよい。」 
  
（２−４） 　「【００３０】・・・実施例１ 
 以下の組成の乳化化粧料を常法により混合し製造した。 
【００３１】 
　成分　　　　　　　　　　　　　　　　（重量％） 
　・・・ 
　吸水性ポリマー＊２　　　　　　　　　　　５ 
　・・・ 
【００３２】・・・ 
＊２ 架橋剤（エチレングリコールジグリシジルエーテル）で架橋し、水不溶性にしたポリアクリル酸ナトリウム（平均粒径５μ、吸液量約１０） 
（製法）Ａ液として８０％アクリル酸水溶液、２５５ｇを３０％水酸化ナトリウム水溶液、２８０ｇで中和したものと、ジエチレングリコールジグリシジルエーテル（デナコールＥＸ８１０（長瀬化成（株）製））、１０．２ｇ、及び過硫酸カリウム、０．８ｇを水２０ｇに溶解したものを、ショ糖モノスチアリン酸エステル（リョートーシュガーエステルＳ−５７０（三菱化成食品（株）製））、１０ｇをシクロヘキサン、１kgに分散した液に添加し、ホモミキサーで分散する。一方、Ｂ液として、１kgのシクロヘキサンを還流冷却管、温度計、窒素導入管、撹拌棒、滴下ロートを付した５ｌの反応釜に仕込む。この反応釜に窒素を通じ、酸素を除去した後、８０±５℃に昇温し、撹拌しながらＡ液を滴下ロートよりＢ液を滴下する。滴下後更に、２時間熟成を行なう。その後共沸脱水を行ない、更にシクロヘキサンを１．５ｌ留去して放冷する。生成したポリマービーズを９０℃で減圧乾燥し当該ポリマー２８０ｇを得る。」 
  
（２−５）　「【００３８】実施例２ 
　以下の組成の乳化化粧料を常法により混合し、製造した。 
　成分　　　　　　　　　　　　　　　　（重量％） 
　・・・ 
　紫外線吸収剤＊１１　　　　　　　　　　　 ３ 
　・・・ 
【００３９】・・・ 
 ＊１１ メトキシケイ皮酸オクチル（ジボダン社製パルソールＭＣＸ ＳＡ）」 
  
（２−６）　「【００４３】実施例３ 
　下記に示す組成の乳化化粧料を常法により調製した。 
 
  
 ＊１４ （１）式中ｘ＝１０のもの 
 ＊１５ 実施例１と同じもの 
 ＊１６ 実施例１と同じもの 
 ＊１７ α−モノイソステアリルグリセリルエーテル 
 ＊１８ 酸化チタンに対し、３％のシリコーン油中水型乳化化粧料（ＫＦ−９６５０ｃｓ）を用い、表面被覆処理した酸化チタン（平均粒径３μ） 
 ＊１９ 実施例２と同じもの 
【００４４】この乳化化粧料は汗によるべとつき、テカリ及び化粧くずれが少なく、しかも、これらの効果は持続するものであった。一方、紫外線吸収剤の粉体の汗による流出、かたよりは少なく、紫外線防止効果も良好であった。」 
  
（ウ）　引用文献５に記載された事項
　引用文献５には、三洋化成工業株式会社により１９８２年に発行された「超吸収性ポリマー」である「ＳＡＮＷＥＴ　ＩＭ−３００」及び「ＳＡＮＷＥＴ　ＩＭ−１０００」が、ポリマーデンプンとアクリル酸から製造される、内部的に架橋結合されたデンプン−グラフト−ポリアクリレートであり、イオン交換水と生理食塩水（０．９％塩化ナトリウム溶液）との吸収能の違いについて、「ＳＡＮＷＥＴ　ＩＭ−３００」は、生理食塩水（０．９％塩化ナトリウム溶液）６５倍、イオン交換水を７００倍吸収すること、並びに、「ＳＡＮＷＥＴ　ＩＭ−１０００」は、生理食塩水（０．９％塩化ナトリウム溶液）８０倍、イオン交換水を１０００倍吸収することが示されている（第１頁１段落目１〜７行、第１頁の表）。
（エ）　引用文献７に記載された事項
　引用文献７には、架橋化されたポリアクリル酸ナトリウムからなる超吸収性ポリマーであるＦｌｏｃａｒｅ　ＧＢ３００が重量の４００倍の蒸留水を吸収することができることが記載されている（第１０頁）。
イ　引用文献１、２に記載された発明 
（ア）　引用文献１に記載された発明
　記載事項（１−７）、（１−８）、（１−９）及び（１−１０）より、引用文献１には、以下の発明が記載されていると認められる（以下、「引用発明１−１」〜「引用発明１−３」という。また、これらをまとめて「引用発明１」ともいう。） 
  
（引用発明１−１） 
「以下の成分からなる乳濁液に、吸水性樹脂重合体であるデンプングラフトポリアクリル酸ナトリウム製品、サンウェットＩＭ−１０００微粉砕（ＦＧ）粉末を０．０１重量％又は０．１重量％配合し、５０μ未満の平均粒径を有する吸水性樹脂重合体の均質分散液とした、水中油型日やけどめ乳濁液。 
　成分　　　　　　　　　　　　　　　　　　　　　　％Ｗ／Ｗ 
　水相： 
　　メチルパラベン（防腐剤）　　　　　　　　　　　０．２０ 
　　パンテチン（モイスチャライザー）　　　　　　　０．１０ 
　　カルボマー９３４（増粘剤）　　　　　　　　　　０．０８ 
　　水酸化ナトリウム１０％（中和剤）　　　　　　　１．００ 
　　精製水（１００％ｗ／ｗとする） 
　油相： 
　　重鉱油　　　　　　　　　　　　　　　　　　　　４．００ 
　　ステアリン酸、ダブルプレス（陰イオン乳化剤）　３．００ 
　　コレステロール（補助乳化剤）　　　　　　　　　１．００ 
　　セチルアルコール（補助乳化剤）　　　　　　　　１．８０ 
　　ヒマシ油（エモリエント）　　　　　　　　　　　１．００ 
　　パルミチン酸セチル（エモリエント）　　　　　　１．２０ 
　　オクチルジメチルＰＡＢＡ（紫外線吸収剤）　　　１．４０　　　　 
　　プロピルパラベン（防腐剤）　　　　　　　　　　０．１０　」 
  
（引用発明１−２） 
「以下の成分からなる乳濁液に、吸水性樹脂重合体であるデンプングラフトポリアクリル酸ナトリウム製品、サンウェットＩＭ−１０００微粉砕（ＦＧ）粉末を０．４重量％配合し、５０μ未満の平均粒径を有する吸水性樹脂重合体の均質分散液とした、水中油型日やけどめ乳濁液ローション。 
　成分　　　　　　　　　　　　　　　　　　　　　　　　％ｗ／ｗ 
　水相： 
　　メチルパラベン（防腐剤）　　　　　　　　　　　　　０．２２５ 
　　パンテチン（モイスチャライザー）　　　　　　　　　０．１ 
　　イミダゾリジニル尿素（防腐剤）　　　　　　　　　　０．２ 
　　コロイドオートミル（スキンコンディショナー）　　　０．４ 
　　グリセレト−７−トリアセテート（エモリエント）★　１．０ 
　　精製水（１００％ｗ／ｗとする） 
　油相： 
　　重鉱油　　　　　　　　　　　　　　　　　　　　　　２．０ 
　　コレステロール（補助乳化剤）　　　　　　　　　　　１．２ 
　　オクチルメトキシシンナメート（紫外線吸収剤）　　　２．０ 
　　ＰＰＧ−２０メチルグルコースエーテルジステアレート（エモリエント＆補助乳化剤）　　　　　　　　　　　　　　　　　　　　０．４ 
　　プロピルパラベン（防腐剤）　　　　　　　　　　　　０．１５ 
　　水素添加パームグリセリドおよびセチルアルコールおよびＴＥＡ−イソステアロイル加水分解コラーゲン（第一級非イオン乳化剤）★★　
　　　　　　　　　　　　　　　　　　　　　　　　　　　１．６ 
　　セチルアルコール（補助乳化剤）　　　　　　　　　　０．２ 
　　ミリスチルアルコール（補助乳化剤）　　　　　　　　０．２ 
　　シクロメチコン（潤滑剤）　　　　　　　　　　　　　０．５」 
  
（引用発明１−３） 
「以下の成分からなる乳濁液に、吸水性樹脂重合体であるデンプングラフトポリアクリル酸ナトリウム製品、サンウェットＩＭ−１０００微粉砕（ＦＧ）粉末を０．１重量％配合した、水中油型スキンケア乳濁液。 
　成分　　　　　　　　　　　　　　　　　　　　　　　　％ｗ／ｗ 
　水相： 
　　精製水　　　　　　　　　　　　　　　　　　　　　　６１．１７ 
　　パンテチン、８０％水溶液（保湿剤）　　　　　　　　　０．１０ 
　　メチルパラベン（防腐剤）　　　　　　　　　　　　　　０．２０ 
　　カルボマー９４０（増粘剤）　　　　　　　　　　　　　０．１０ 
　　グリセリン（保湿剤）　　　　　　　　　　　　　　　　２．５０ 
　　アルキルポリエーテルスルホン酸ナトリウム（陰イオン乳化剤）
　　　　　　　　　　　　　　　　　　　　　　　　　　　　１．２５ 
　油相： 
　　重鉱油　　　　　　　　　　　　　　　　　　　　　　　１．７５ 
　　コレステロール（エモリエント＆補助乳化剤）　　　　　１．００ 
　　パルミチン酸セチル（補助乳化剤）　　　　　　　　　　０．２０ 
　　ＰＥＧ−２２／ドデシルグリコール共重合体（乳化剤）　０．２０ 
　　エチルパラベン（防腐剤）　　　　　　　　　　　　　　０．１０ 
　　プロピルパラベン（防腐剤）　　　　　　　　　　　　　０．１５ 
　中和剤塩基： 
　　トリエタノールアミン　　　　　　　　　　　　　　　　０．１０ 
　着色剤および芳香剤： 
　　ＦＤ＆ＣレッドＮｏ．４（１％水溶液）　　　　　　　　０．０３ 
　　芳香油　　　　　　　　　　　　　　　　　　　　　　　０．３０ 
　シリコーン相： 
　　シクロメチコン／ジメチコンコポリオール（９０：１０）９．５０ 
　　シクロメチコン／ミメチコノール（１３：８７）　　　　５．００ 
　　シクロメチコン　　　　　　　　　　　　　　　　　　　３．００ 
　　フェニルジメチコン　　　　　　　　　　　　　　　　　１．００ 
　　パレト−１５−３（補助乳化剤）　　　　　　　　　　　２．００ 
　　オクチルメトキシシンナメート（紫外線吸収剤）　　　　７．００ 
　　ベンゾフェノン−３（紫外線吸収剤）　　　　　　　　　０．５０ 
　　Ｃ１２〜１５アルコールベンゾエート（可溶化剤）　　　２．８５ 
　　　　　　　　　　　　　　　　　　　　　　　　　　１００．００ 」
 
（イ）　引用文献２に記載された発明 
　記載事項（２−６）、並びに、記載事項（２−４）及び（２−５）の実施例１及び２で用いた吸水性ポリマー及び紫外線吸収剤の記載より、引用文献２には、以下の発明が記載されていると認められる（以下、「引用発明２」という。）。 
  
（引用発明２） 
「以下の組成の乳化化粧料。 
  
 
 ＊１５ 架橋剤（エチレングリコールジグリシジルエーテル）で架橋し、水不溶性にしたポリアクリル酸ナトリウム（平均粒径５μ、吸液量約１０） 
 ＊１７ α−モノイソステアリルグリセリルエーテル 
 ＊１８ 酸化チタンに対し、３％のシリコーン油中水型乳化化粧料（ＫＦ−９６５０ｃｓ）を用い、表面被覆処理した酸化チタン（平均粒径３μ） 
 ＊１９ 実施例２と同じもの  ＊１９　メトキシケイ皮酸オクチル（ジボダン社製パルソールＭＣＸ ＳＡ）」 
ウ　「＜１＞　理由１（新規性）、理由２（進歩性）について」（引用文献１を主引例とした場合）
（ア）本件発明１について 
ａ　対比
　本願発明１と引用発明１（引用発明１−１〜１−３）とを対比する。
　引用発明１−１の「水中油型日やけどめ乳濁液」、引用発明１−２の「水中油型日やけどめ乳濁液ローション」及び引用発明１−３の「水中油型スキンケア乳濁液」は、乳濁液型の化粧スキンケア製剤であるから（記載事項（１−１）及び（１−２））、本件発明１の「Ｏ／Ｗエマルジョンの形態の化粧品組成物」に相当する。
　また、引用発明１の「水相」の成分、「油相」及び「シリコーン相」の成分、「吸水性樹脂重合体であるデンプングラフトポリアクリル酸ナトリウム」、「オクチルジメチルＰＡＢＡ（紫外線吸収剤）」及び「オクチルメトキシシンナメート（紫外線吸収剤）」は、それぞれ、本件発明１の「少なくとも１つの水相を形成する成分」、「少なくとも１つの脂肪相を形成する成分」、「高吸収性ポリマー」、「親油性有機ＵＶ遮断剤」に相当する。
　そうすると、本件発明１と引用発明１とは、
「少なくとも１つの水相を形成する成分および少なくとも１つの脂肪相を形成する成分、高吸収性ポリマーおよび少なくとも１種の親油性有機ＵＶ遮断剤を含むＯ／Ｗエマルジョンの形態の化粧品組成物である、化粧品組成物」
である点で一致し、以下の点で相違する。 
  
（相違点１−１） 
　本件発明１では「高吸収性ポリマー」が「乾燥状態で、ポリマー自体の重量の１００〜１０００倍の水を自然に吸収することができ（る）」ことが特定されているのに対し、引用発明１では吸水性樹樹脂重合体の吸水能が示されていない点。
（相違点１−２）
　高吸水性ポリマーが、本件発明１では「架橋ポリアクリル酸ナトリウム」であるのに対し、引用発明１では「デンプングラフトポリアクリル酸ナトリウム」である点。
  
（相違点１−３）
　化粧品組成物として、本件発明１は「シリカ」及び「少なくとも１種の親水性有機ＵＶ遮断剤」を含むのに対し、引用発明１はこれらを含まない点。
ｂ　判断
　まず、理由１（新規性）について検討するに、本件発明１と引用発明１とは、少なくとも相違点１−２、１−３において実質的に相違することが明らかであるから、本件発明１は、引用文献１に記載された発明ではなく、特許法第２９条第１項第３号に該当しない。
　次に、理由２（進歩性）について、上記相違点１−３を検討するに、引用文献１をみても、「シリカ」や「少なくとも１種の親水性有機ＵＶ遮断剤」を更に含めることについての記載ないし示唆はない。また、引用文献２及び５にも「シリカ」や「少なくとも１種の親水性有機ＵＶ遮断剤」についての記載は全くない。
　そうすると、相違点１−３の構成をとることは、引用文献１、２及び５の記載事項から当業者であっても容易に想到し得たことではない。
　そして、効果について、本件発明１は、Ｏ／Ｗエマルジョン型形態の化粧品組成物において、有機ＵＶ遮断剤の存在下でも、ベタつく作用を有さず、皮膚の適用時に、特に軟らかさ及びすべりの非常に優れた化粧特性を有するとの格別顕著な効果を奏するものである。
　したがって、その他の相違点を検討するまでもなく、本件発明１は、引用文献１に記載された発明及び引用文献２、５に記載された事項から当業者が容易に発明をすることできたものではなく、特許法第２９条第２項の規定に違反するものではない。
　よって、請求項１に係る特許は、特許法第１１３条第２号に該当せず、取り消すべきものではない。
（イ）　本件発明５〜７、９、１０、１２、１３について
　本件発明５〜７は、本件発明１の高吸収性ポリマーについて、それぞれ、「水の吸収後、水中で不溶性のままであること」、「球状粒子の形態で提供されること」、「組成物の全重量に対して0.03〜15重量％の含有量で存在すること」を特定するものである。
　本件発明９、１０は、本件発明１の親油性有機UV遮断剤の種類を特定するものであり、また、本件発明１２は、同じく有機UV遮断剤の配合量を「組成物の全重量に対して0.03〜15重量％の含有量で存在すること」と特定するものである。
　本件発明１３は、「請求項１、５〜７、９、１０及び１２のいずれか一項により定義される化粧品組成物が、角質性物質に適用されることを特徴とする、角質性物質の美容的処置方法」に係る発明である。
　本件発明５〜７、９、１０、１２、１３と引用発明１−１〜１−３とを対比すると、本件発明１と同様の上記相違点１−１〜１−３の点で相違し、相違点１−３については、上記（ア）ｂにおける判断と同様となる。
　そして、効果について、本件発明５〜７、９、１０、１２、１３は、本件発明１と同様、上記（ア）ｂで記載したとおり、格別顕著な効果を奏するものである。
　したがって、本件発明５〜７、９、１０、１２、１３は、引用文献１に記載された発明ではなく、特許法第２９条第１項第３号に該当せず、また、引用文献１に記載された発明及び引用文献２、５に記載された事項から当業者であっても容易に発明をすることができたものでもないから、特許法第２９条第２項の規定に違反するものではない。
　よって、請求項５〜７、９、１０、１２、１３に係る特許は、特許法第１１３条第２号に該当せず、取り消すべきものではない。
エ　「＜２＞理由１（新規性）、理由２（進歩性）について」（主引例が引用文献２の場合）
（ア）　本件発明１について 
ａ　対比
　本件発明１と引用発明２とを対比する。
　引用発明２における「乳化化粧料」は油中水型乳化化粧料であり（記載事項（２−１））、本件発明１は「Ｏ／Ｗエマルジョンの形態の化粧品組成物」であるから、両発明は「エマルジョン形態の化粧品組成物」との限りにおいて一致する。
　引用発明２の「１，３−ブチレングリコール」、「グリセリン」、「エタノール」及び「精製水」は、本件発明１の「少なくとも１つの水相を形成する成分」に相当し、引用発明２の「ジメチルポリシロキサン」、「揮発性シリコーン」及び「スクワラン」は、本件発明１の「少なくとも１つの油相（脂肪相）を形成する成分」に相当する。
　また、引用発明２の「吸水性ポリマー」は、「架橋剤（エチレングリコールジグリシジルエーテル）で架橋し、水不溶にしたポリアクリル酸ナトリウム」であるから、本件発明１の「架橋ポリアクリル酸ナトリウム」である「高吸収性ポリマー」に相当する。
　そして、引用発明２の「紫外線吸収剤」は、メトキシケイ皮酸オクチルであるから、本件発明１の「親油性有機ＵＶ遮断剤」に相当する。
　さらに、引用発明２の「乳化剤」、「シリコーン被覆酸化チタン」、「香料」は、本件発明１の「少なくとも１つの油相（脂肪相）を形成する成分」あるいは「水相を形成する成分」のいずれかに相当する。
　そうすると、本件発明１と引用発明２とは、
「少なくとも１つの水相を形成する成分および少なくとも１つの脂肪相を形成する成分、高吸収性ポリマーおよび少なくとも１種の親油性有機ＵＶ遮断剤を含むエマルジョンの形態の化粧品組成物であって、前記高吸収性ポリマーが架橋ポリアクリル酸ナトリウムである、化粧品組成物」
である点で一致し、以下の点で相違する。 
  
（相違点２−１） 
　本件発明１の「高吸収性ポリマー」が「乾燥状態で、ポリマー自体の重量の１００〜１０００倍の水を自然に吸収することができ（る）」ことが特定されているのに対し、引用発明２の吸水ポリマーの吸液量は約１０である点。
（相違点２−２） 
　化粧品組成物として、本件発明１では、「シリカ、少なくとも１種の親水性有機ＵＶ遮断剤」を含むのに対し、引用発明２ではこれらを含まない点。
（相違点２−３）
　本件発明１は「Ｏ／Ｗエマルジョン」形態であるのに対し、引用発明２は「油中水型」エマルジョン形態である点。
ｂ　判断
　まず、理由１（新規性）について検討するに、は、本件発明１と引用発明２とは少なくとも相違点２−１〜２−３において相違することが明らかであるから、本件発明１は、引用文献２に記載された発明ではなく、特許法第２９条第１項第３号に該当しない。
　次に、理由２（進歩性）について、上記相違点２−２を検討するに、引用文献２には、「シリカ」、「少なくとも１種の親水性有機ＵＶ遮断剤」を更に含めることについて記載ないし示唆はない。また、引用文献５及び７にも、「シリカ」や「少なくとも１種の親水性有機ＵＶ遮断剤」についての記載は全くない。
　そうすると、相違点２−２の構成をとることは、引用文献２、５及び７の記載事項から当業者が容易に想到し得たことではない。
　そして、効果について、本件発明１は、Ｏ／Ｗエマルジョン型形態の化粧品組成物において、有機ＵＶ遮断剤の存在下でも、ベタつく作用を有さず、皮膚の適用時に、特に軟らかさ及びすべりの非常に優れた化粧特性を有するとの格別顕著な効果を奏するものである。
　したがって、その他の相違点を検討するまでもなく、本件発明１は、引用文献２に記載された発明及び引用文献５、７に記載された事項から当業者が容易に発明をすることできたものではなく、特許法第２９条第２項の規定に違反するものではない。
　よって、請求項１に係る特許は、特許法第１１３条第２号に該当せず、取り消すべきものではない。
（イ）　本件発明５〜７、９、１０、１２、１３について
　本件発明５〜７は、本件発明１の高吸収性ポリマーについて、それぞれ、「水の吸収後、水中で不溶性のままであること」、「球状粒子の形態で提供されること」、「組成物の全重量に対して0.03〜15重量％の含有量で存在すること」を特定するものである。
　本件発明９〜１０は、本件発明１の親油性有機UV遮断剤の化合物の種類を特定したものであり、また、本件発明１２は、同じく有機UV遮断剤の配合量を「組成物の全重量に対して0.03〜15重量％の含有量で存在すること」と特定するものである。
　本件発明１３は、「請求項１、５〜７、９、１０及び１２のいずれか一項により定義される化粧品組成物が、角質性物質に適用されることを特徴とする、角質性物質の美容的処置方法」に係る発明である。
　本件発明５〜７、９、１０、１２、１３と引用発明２とを対比すると、本件発明１と同様の上記相違点２−１、２−２及び２−３の点で相違し、かつ、相違点２−２については、上記（ア）ｂにおける判断と同様となる。
　そして、効果について、本件発明５〜７、９、１０、１２、１３は、本件発明１と同様に、上記（ア）ｂで記載したとおり、格別顕著な効果を奏するものである。
　そうすると、本件発明５〜７、９、１０、１２、１３は、引用文献２に記載された発明ではなく、特許法第２９条第１項第３号に該当せず、また、引用文献２に記載された発明及び引用文献５、７に記載された事項から当業者が容易に発明をすることできたものでもなく、特許法第２９条第２項の規定に違反するものではない。
　よって、請求項５〜７、９、１０、１２、１３に係る特許は、特許法第１１３条第２号に該当せず、取り消すべきものではない。
（２）「＜５＞理由３（実施可能要件）、理由４（サポート要件）」について
ア　理由３、４の具体的な内容
　「高吸収性ポリマーの吸水能について、引用文献５をみると、吸水能は最大で１０００倍程度であり（引用文献５の「ＳＡＮＷＥＴ　ＩＭ−１０００」）、また、上記＜４＞の３で示したカタログにおいても、アクアキープの吸水能は最大で８００倍程度である。 
　一方、本件特許発明１における高吸収性ポリマーは、「乾燥状態で、ポリマー自体の重量の１００〜２０００倍の水を自然に吸収することができ（る）」ものであり、吸水能が最大で２０００倍の高吸収性ポリマーを包含するところ、本件特許明細書等をみても、そのような高吸収性ポリマーを実際に製造し、使用することができることは示されていない。 
　それゆえ、本件特許発明のうち、高吸収性ポリマーとして、実施例で示されるような吸水能を有するもの以外のもの、特に、２０００倍程度の吸水能を有する高吸収性ポリマーを用いた化粧品組成物については、当業者が実施することができない。また、本件特許明細書の実施例等の記載をもって、実施例で示されるような吸水能を有する高吸収性ポリマー以外の高吸収性ポリマーを用いても上記課題が解決できることにまで、発明の詳細な説明に開示された内容を拡張ないし一般化できるとはいえない。
　よって、この出願の発明の詳細な説明は、当業者が本件特許発明１〜１３を実施することができる程度に明確かつ十分に記載されたものでない。また、本件特許発明１〜１３は、発明の詳細な説明に記載したものでない。」
イ　判断
　上記３（２）で判断したとおりであり、本件訂正により、本件発明１は、当業者が実施をすることができるものとなり、また、上記課題を解決できる範囲のものとなったから、理由３、４は解消した。
　よって、本件発明１、５〜７、９、１０、１２、１３は、特許法第３６条第４項第１号又は同条第６項第１号に規定する要件を満たさないものではないから、これらの発明に係る特許は、同法第１１３条第４号に該当せず、取り消すべきものではない。
（３）　「＜４＞理由４（サポート要件）」について
ア　理由４の具体的な内容
（ア）　「１．シリカの有無について
　・・・
　本件発明は、有機遮断剤を含む化粧品の感触の低下、特にベタつく作用による不快感といった欠点を有しないエマルジョン形態の化粧品組成物を提供することを解決しようとする課題とするものと認められる。
　一方、本件特許明細書の実施例において、上記課題が解決したことが示されているのは、高吸収性ポリマーとともに、シリカを含む組成物のみである（実施例１及び４）。ここで、シリカは、化粧品に配合することにより、肌への使用感の向上やベタつき防止の作用を有するものであるから（この点について必要であれば、引用文献１０〜１２を参照。）、本件特許発明が上記課題を解決する上では、必須の成分であると認められる。 
　しかしながら、本件特許発明１〜１３はシリカを含むことは特定しておらず、発明の詳細な説明に記載された、発明の課題を解決するための手段が反映されていないため、本件特許発明１〜１３は、発明の詳細な説明に記載した範囲を超えるものといえる。  
　よって、本件特許発明１〜１３は、発明の詳細な説明に記載したものでない。」
（イ）　「２．エマルジョンの形態について 
　・・・
　本件特許明細書には、エマルジョン形態がＷ／Ｏ型である化粧品組成物についての実施例は示されていないし、エマルジョン形態がＷ／Ｏ型である場合には、ベースである油相（脂肪相）中に存在する親油性有機ＵＶ遮断剤によるベタつく作用を、油相中の水滴中に存在する高吸収性ポリマーが防止できるとは考え難い。また、そもそもベースが油相であれば、「脂っぽいベタついた」感触となるところ、水滴中に存在する高吸収性ポリマーが当該ベースとなる脂肪相による「脂っぽいベタついた」作用までも防止できるとは考え難い。 
　そうしてみれば、上記課題を解決するためには、Ｏ／Ｗ型エマルジョン形態の化粧品組成物であることが必須であり、そのような特定のない本件特許発明１〜１３は、発明の詳細な説明に記載された、発明の課題を解決するための手段が反映されていないため、本件特許発明１〜１３は、発明の詳細な説明に記載した範囲を超えるものといえる。 
　よって、本件特許発明１〜１３は、発明の詳細な説明に記載したものでない。」
（ウ）　「３．高吸収性ポリマーの吸水能について 
　・・・
　本件特許明細書の実施例には、高吸収性ポリマーとして、「Ａｑｕａ　Ｋｅｅｐ　１０　ＳＨ　ＮＦ」を用いたものしか示されていないし、本件特許発明の上記課題と高吸収性ポリマーの吸水能が、技術的にどのように関係しているか明らかでないから、この実施例の結果をもって、高吸収性ポリマーの吸水能が「１００〜２０００倍」のすべての範囲、特に最大で２０００倍の吸水能を有する高吸収性ポリマーを用いた場合にも、上記課題を解決することができると直ちには認められない。 
　よって、本件特許発明１〜１３は、発明の詳細な説明に記載したものでない。」
イ　判断
　本件訂正により、本件発明１において、シリカが必須成分となり、エマルジョンの形態もＯ／Ｗエマルジョンであることが特定された。また、高吸水性ポリマーの吸水能については、上記３（２）で述べたとおりである。
　したがって、これらの理由（ア）〜（ウ）は解消した。
　よって、本件発明１、５〜７、９、１０、１２、１３は、特許法第３６条第６項第１号に規定する要件を満たすから、これらの発明に係る特許は、同法第１１３条第４号に該当せず、取り消すべきものではない。
（４）　「＜３＞理由５（明確性）」について
ア　理由５の具体的な内容
（ア）　高吸収性ポリマーの吸水能について
「（１）【００１６】に記載の「水溶液」及び「溶液」とは、何の溶液であるか不明である。 
　また、水を吸収する能力を測定するために、水ではないものを用いて測定する理由が不明である。  
（２）【００１６】に記載の「非吸収されなかった溶液」とは、どのような溶液を意味しているのか不明である。 
　また、仮に、「非吸収されなかった溶液」が、ポリマーに「吸収された溶液」を意味すると解した場合、そのような溶液を「ろ過する」とは、どのような処理を行うことを意味しているのか不明である。 
（３）【００１６】に記載の「吸収されなかった水」とは、何を指しているのか不明である。 
　水溶液１５０ｇのうち、ポリマーに吸収されなかった水溶液中の水のことを意味しているのか、「非吸収されなかった溶液」（ポリマーに「吸収された溶液」）をろ過した際のろ液（水溶液）中の水のことを意味しているのか、或いは、その他のことを意味しているのか不明である。 
（４）【００１６】に記載の方法によれば、ポリマー０．５ｇが吸収し得る水は最大でも１５０ｇであるから、理論上、高吸収性ポリマー１ｇ当たりに吸収される水は３００倍よりも大きい値にならないはずであるから、本件特許発明１の「１００〜２０００倍」の値のうち、３００倍よりも大きな値はどのように測定されたものであるか不明である。 
　それゆえ、高吸収性ポリマーの吸水能をどのような条件で測定しているのか不明であるから、請求項１における「高吸収性ポリマーが、乾燥状態で、ポリマー自体の重量の１００〜２０００倍の水を自然に吸収することができ（る）」との記載の数値範囲の意味するところが不明である。
  よって、本件特許発明１は、明確でない。また、請求項１を引用する本件特許発明２〜１３についても、同様に明確でない。」
（イ）　高吸収性ポリマーの数平均直径について 
　「請求項２における「高吸収性ポリマーが、１０μｍ〜１０００μｍの数平均直径を有する粒子の形態で提供される」、及び請求項３における「高吸収性ポリマーが、１００μｍ以下の数平均直径を有する粒子の形態で提供される」とは、どのようにして測定された値を規定しているのか、本件特許明細書等には何ら記載されていない。 
　一方、本件特許発明２及び３における高吸収性ポリマーは、球状粒子に限定されないところ（本件特許明細書には、「【００１９】好ましくは、本発明で用いる高吸収性ポリマーは、球状粒子の形態で提供される。」と記載されており、本件特許発明２及び３における高吸収性ポリマーは、球状粒子以外の形状のものも包含すると認められる。）、例えば、引用文献８及び９に記載されるように（引用文献８の第５３頁表１、引用文献９の第３頁第１行〜６頁第８行を参照。）、粒子の大きさを定義する方法は多様に存在するから、本件特許発明２及び３の高吸収性ポリマーの数平均直径がどのような方法で測定された値を規定しているのかは、本件特許出願時の技術常識を参酌しても明らかでなく、請求項２及び３における上記記載の数値範囲の意味するところが不明確である。 
　よって、本件特許発明２及び３は、明確でない。また、請求項２又は３を引用する本件特許発明４〜１３についても、同様に明確でない。」
 
イ　判断
（ア）　高吸収性ポリマーの吸水能について
　「（１）」の点について、本件訂正により、本件明細書の「水溶液」及び「溶液」との記載は「水」へと訂正されたことから、【００１６】の記載は明確なものとなり、この理由は解消した。
　「（２）」の点について、本件訂正により、本件明細書の「非吸収されなかった溶液」が「吸収されなかった水」へと訂正されたことから、【００１６】の記載は明確なものとなり、この理由は解消した。
　「（３）」の点について、平成３０年１２月２８日付けの意見書において、「吸収されなかった水」とは「ポリマーに吸収されなかった水」を意味する旨の説明がされた。そして、【００１６】に記載の「吸収されなかった水」を「ポリマーに吸収されなかった水」の意味と理解するのは不合理なことではない。
　したがって、この理由は撤回すべきと認める。
　「（４）」の点について、【００１６】の記載の方法によると、ポリマー０．５ｇを水１５０ｇ中に分散させて、吸水されなかった水を秤量することにより測定するとの記載の方法からは、最大でも３００倍しか測定できず、３００倍よりも大きな値はどのように測定されるのか不明である、という趣旨であったが、平成３０年１２月２８日付けの意見書において、「【００１６】に記載の方法は、一例に過ぎず、高吸水性ポリマーの吸水能が３００倍よりも高い場合は、それに応じて加える水の量と高吸水性ポリマーの比率を変更すれば測定可能である。」と説明がされ、当該説明によって、吸水能が３００倍よりも大きい高吸水性ポリマーの吸水能の測定方法も明確にできることが合理的に理解できるので、この理由は撤回すべきと認める。
（イ）　高吸水性ポリマーの数平均直径について
　当該理由が通知された本件発明２、３は、訂正により削除されたので、この理由の対象となる請求項は存在しないものとなり、これらの請求項に係る不明確な点は存在しないものとなった。 
５　取消理由についてのまとめ
　以上のとおり、令和１年６月２１日付け及び平成３０年１０月２日付けで通知した取消理由は、その理由がなく、これらの理由により、本件発明１、５〜７、９、１０、１２、１３に係る特許を取り消すことはできない。
第５　特許異議申立理由について　　
１　特許異議申立の理由の概要
（１−１）　申立理由１（明確性違反）
　本件発明１乃至１３は、特許請求の範囲の記載につき、特許を受けようとする発明が明確であるとは認められない。よって、 本件発明１乃至１３は、特許法第３６条第６項第２号に規定する要件を満たしておらず、本件特許は同法第１１３条第１項第４号に該当するので、特許を受けることはできない。
（１−２）　申立理由２（サポート要件違反）
　本件発明１乃至１３は、特許請求の範囲の記載が発明の詳細な説明に記載したものではない。よって、本件発明１乃至１３は、特許法第３６条第６項第１号に規定する要件を満たしておらず、本件特許は同法第１１３条第１項第４号に該当するので、特許を受けることはできない。
（１−３）　申立理由３（実施可能要件違反）
　本件発明１乃至１３は、これらの発明を実施することができる程度に、明細書に必要な事項を記載されているとは認められない。よって、本件発明１乃至１３は、特許法第３６条第４項第１号に規定する要件を満たしておらず、本件特許は同法第１１３条第１項第４号に該当するので、特許を受けることはできない。
（１−４）　申立理由４−１、４−２（甲第１号証（特開昭６３−２９０８１１号公報）を主引例とする新規性、進歩性違反）
　本件発明１乃至１３は、特許法第２９条第１項第３号に該当するものであり、又は同法同条第２項の規定により特許を受けることができないものであるから、本件特許は同法第１１３条第１項第２号に該当するので、特許を受けることはできない。
（１−５）　申立理由５−１、５−２（甲第２号証（特開平５−７０３２２号公報））を主引例とする新規性、進歩性違反）
　本件発明１乃至１３は、特許法第２９条第１項第３号に該当するものであり、又は同法同条第２項の規定により特許を受けることができないものであるから、本件特許は同法第１１３条第１項第２号に該当するので、特許を受けることはできない。
２　証拠方法
甲第１号証：　特開昭６３−２９０８１１号公報 
甲第２号証：　特開平０５−０７０３２２号公報 
甲第３号証：　「ＣＴＦＡ　Ｉｎｔｅｒｎａｔｉｏｎａｌ　Ｃｏｓｍｅｔｉｃ　Ｉｎｇｒｅｄｉｅｎｔ　Ｄｉｃｔｉｏｎａｒｙ　Ｆｏｕｒｔｈ　Ｅｄｉｔｉｏｎ」，　１９９１年，　Ｔｈｅ　Ｃｏｃｍｅｔｉｃ，　Ｔｏｉｌｅｔａｒｙ，　ａｎｄ　Ｆｒａｇｒａｎｃｅ　Ａｓｓｏｃｉａｔｉｏｎ発行，　ｐ．５５８ 
甲第４号証：　「Ｓａｎｗｅｔ　Ｃｏｓｍｅｔｉｃ　Ｇｒａｄｅ　Ｐｏｌｙｍｅｒｓ」のカタログ，　１９９１年，　Ｈｏｅｃｈｓｔ　Ｃｅｌａｎｅｓｅ社 
甲第５号証：　「Ｓｕｐｅｒ　Ａｂｓｏｒｂｅｎｔ　Ｐｏｌｙｍｅｒ　ＳＡＮＷＥＴ　ＩＭ−３００　ＳＡＮＷＥＴ　ＩＭ−１０００」のデータシート，　１９８２年１０月，　三洋化成工業株式会社 
甲第６号証：　特開２００７−１５３８９８号公報 
甲第７号証：　「ＦＬＯＣＡＲＥ」のカタログ，　２００８年５月，　ＳＮＦ　ＣＯＳＭＥＴＩＣＳ 
甲第８号証：　神保元二ら編集，　「微粒子ハンドブック」，　初版第１刷，　株式会社朝倉書店発行，　１９９１年９月１日，　ｐ．５２〜５４ 
甲第９号証：椿淳一郎ら著，　「現場で役立つ粒子径計測技術」，　初版１刷,　日刊工業新聞社発行,　２００１年１０月２６日,　ｐ．３〜６ 
甲第１０号証：　「ＳＹＬＯＩＤ（Ｒ）　Ｓｉｌｉｃａｓ　ｆｏｒ　Ｓｕｎｃａｒｅ　Ａｐｐｌｉｃａｔｉｏｎｓ」のカタログ,　２０１４年，　ＧＲＡＣＥ社 
甲第１１号証：　ジーエス・サイエンス株式会社のホームページ（ｈｔｔｐ：／／ｗｗｗ．ｇｓ−ｓｃｉｅｎｃｅ．ｃｏ．ｊｐ／ｐｒｏｄｕｃｔ／ｃｒｅａｍ．ｈｔｍｌ） 
甲第１２号証：　株式会社イプロスのホームページ（ｈｔｔｐｓ：／／ｗｗｗ．ｉｐｒｏｓ．ｊｐ／ｐｒｏｄｕｃｔ／ｄｅｔａｉｌ／２００００２１２４５２／） 
甲第１３号証：　住友精化株式会社のホームページ（ｈｔｔｐｓ：／／ｗｗｗ．ｓｕｍｉｔｏｍｏｓｅｉｋａ．ｃｏ．ｊｐ／ｐｒｏｄｕｃｔ／ｄｅｔａｉｌ．ｐｈｐ？ｉｄ＝１１８） 
３　甲第１〜１３号証に記載された事項
　甲第１、２、５、７号証は、平成３０年１０月２日付け取消理由で引用した引用文献１、２、５ 、７であり、それぞれ第４　４（１）ア（ア）〜（エ）で摘記した事項が記載されている。
　甲第３号証には、サンウエット超吸収性ポリマーがデンプンがグラフトされたポリアクリル酸ナトリウムであることが記載されている（第５５８頁左欄中央）。
　甲第４号証には、サンウエット超吸収性ポリマーが化粧品のために開発された流動性と感触に優れた高吸水性ポリマーであることが記載されている（第３頁第１段落）。
　甲第６号証には、架橋化ナトリウムポリアクリレートの粒子として、Flacre　GB300が本件出願前に市販されていることが記載されている（【００６１】）。
　甲第８、９号証には、粒子の大きさの定義又は測定原理が記載されている（甲第８、９号証全文）。
　甲第１０号証には、ＳＹＬＯＩＤ（R）が日焼け止め防止用のシリカであり、皮膚のべたつき感を無くしたり、乾いた感覚を使用者の皮膚に与えることが記載されている（左欄上段、右欄上段、左欄中段）
　甲第１１号証には、グラファイトシリカを配合したクリームがべたつきがないことが記載されている（第１頁上段、中段）。
　甲第１２号証には、スキンケア用シリカ「サンスフェア」が使用感の向上とべたつき防止に効果のあることが記載されている（第１頁　標題及び説明）。
　甲第１３号証には、アクアキープが自重の数百倍の水を吸収する高吸水性ポリマーであることが記載されている（第１頁　中段）。
４　判断
（１）　申立理由１について
　申立理由１（明確性違反）の趣旨は、平成３０年１０月２日付け取消理由の理由５と同様であり（上記第４　４（４）ア）、当該理由によって本件発明に係る特許を取り消すことができないこととなったのは、上記第４　４（４）イで述べたとおりである。
　なお、本件発明６も「数平均直径」に係る発明特定事項を有しないものとなったため、本件発明６に対する申立理由１にも理由がないことは明らかである。
　
（２）　申立理由２について
　申立理由２（サポート要件違反）のうち、シリカの有無に係る理由は、平成３０年１０月２日付け取消理由の理由４と同趣旨のものであり（上記第４　４（３）ア）、この理由によって本件発明に係る特許を取り消すことができないのは、上記第４　４（３）イで述べたとおりである。
　申立理由２のうち、親油性有機ＵＶ遮断剤に係る理由は、要するに、本件発明は親油性有効成分を含む化粧品組成物のべたつきの問題を克服することを目的(技術的課題)とするものであるところ、本件訂正前の本件発明１〜７、１２、１３では、親油性有機ＵＶ遮断剤が必須とされておらず、そのような技術的課題が存在しないことを根拠とするものであるが、本件訂正により、本件発明において親油性有機ＵＶ遮断剤は必須となり、この理由は当を得ないものである。
　また、申立理由２のうち、その他の理由は、要するに、本件発明において「シリカ」が必須の成分とされていないことに基づくものであると理解されるところ、本件訂正によって「シリカ」が必須の成分とされたから、その他の理由も当を得ないものである。
（３）　申立理由３について
　申立理由３（実施可能要件違反）の趣旨は、平成３０年１０月２日付け取消理由の理由３と同趣旨であり（上記第４　４（２）ア）、当該理由によって本件発明に係る特許を取り消すことができないのは、上記第４　４（２）イで述べたとおりである。
（４）　申立理由４−１及び４−２について
　申立理由４−１（新規性）は、本件発明が甲第１号証（引用文献１）に記載された発明であるというものであるが、本件発明が引用文献１、すなわち甲第１号証に記載された発明でないことは、上記第４　４（１）ウ（ア）ｂ、（イ）に述べたとおりである。
　申立理由４−２（進歩性）は、本件発明が甲第１号証及び甲第２〜１３号証に基づいて、当業者が容易に発明をすることができたものというものである。
　しかし、本件発明が甲第１号証（引用文献１）に記載された発明及び甲第２、５号証（引用文献２、５）に記載された事項から容易に発明をすることができないことは、上記第４　４（１）ウ（ア）ｂ、（イ）に述べたとおりであり、さらに、甲第３、４、６〜１３には、相違点１−３に係る構成、すなわち「シリカ」及び「少なくとも１種の親水性有機ＵＶ遮断剤」を含めることについて何ら記載されていないから（上記３の記載事項、上記第４　４（１）ア（エ）の記載事項）、結局、本件発明は、甲第１号証及び甲第２〜１３号証に記載された事項から当業者が容易に発明することができたものではない。
　
（５）　申立理由５−１及び５−２について
　申立理由５−１（新規性）は、本件発明が甲第２号証に記載された発明であるというものであるが、本件発明が引用文献２、すなわち甲第２号証に記載された発明でないことは、上記第４　４（１）エ（ア）ｂ、（イ）に述べたとおりである。
　申立理由５−２（進歩性）は、本件発明が甲第２号証及び甲第１、３〜１３号証に基づいて、当業者が容易に発明をすることができたものというものである。
　しかし、本件発明が甲第２号証に記載された発明及び甲第５、７号証に記載された事項から容易に発明をすることができないことは、上記第４　４（１）エ（ア）ｂ、（イ）に述べたとおりであり、さらに、甲第１、３、４、６、８〜１３には、相違点２−３に係る構成、すなわち「シリカ」及び「少なくとも１種の親水性有機ＵＶ遮断剤」を含めることについて何ら記載されていないから（上記３の記載事項、上記第４　４（１）エ（ア）の記載事項）、結局、本件発明は、甲第２号証及び甲第１、３〜１３号証に記載された事項から当業者が容易に発明することができたものではない。
５　特許異議申立理由のまとめ
　以上のとおり、申立人の主張する申立理由１〜５−２により、本件発明に係る特許を取り消すことはできない。
第６　むすび
　以上のとおり、請求項１、５〜７、９、１０、１２、１３に係る特許は、取消理由通知書に記載した取消理由及び特許異議申立書に記載した特許異議申立理由によっては取り消すことはできない。
　また、他に、請求項１、５〜７、９、１０、１２、１３に係る特許を取り消すべき理由を発見しない。
　請求項２〜４、８、１１は削除されたので、これらの請求項に係る特許異議の申立ては、申立ての対象が存在しないものとなったため、特許法第１２０条の８第１項で準用する同法第１３５条の規定により却下する。
　よって、結論のとおり決定する。
【異議決定日】
令和１年１１月６日（２０１９．１１．６）
【訂正の要旨】
審決（決定）の【理由】欄参照。
（５４）【発明の名称】
高吸収性ポリマーおよび有機ＵＶ遮断剤を含む化粧品組成物
　【技術分野】
　【０００１】
　本特許出願は、高吸収性ポリマーおよび有機ＵＶ遮断剤を含むエマルジョンの形態の組成物に関し、化粧品分野および皮膚科学分野における、特に角質性物質をケアするまたは治療するための前記組成物の使用に関する。
　【背景技術】
　【０００２】
　日光防止組成物は、様々な濃度で、有害なＵＶ線を選択的に吸収することができる１種または複数の親油性および／または親水性、不溶性および／または可溶性ならびに有機および／または無機の遮断剤を含む、水中油型または油中水型のエマルジョンの形態、ゲルの形態、または無水である生成物の形態でしばしば提供され、これらの遮断剤およびその量は、所望の防御指数に応じて選択される。それらの親油性の性質によって、または反対に、親水性の性質によって、これらの遮断剤は、最終組成物の脂肪相または水相にそれぞれ分布することができる。
　【０００３】
　有機遮断剤は、日光防止配合物によく用いられる。しかし、いくつかの有機遮断剤、特に親油性遮断剤については、エマルジョン中にそれらを取り入れると、化粧品の感触の低下、特に、皮膚への適用中やその後生成物が浸透した後にベタつく作用をもたらす。このベタつく作用により、生成物を使用すると使用者が不快になり、これらの生成物が非常に暑い時間に使用されるときこの不快感はいっそう明白である。
　【０００４】
　糖単位を有する親油性有効成分を含む化粧品組成物のベタつきの問題を克服するために、ベタつく作用を低下させることができるシリコーンエラストマーが提案されている。しかし、脂溶性遮断剤の場合には、シリコーン化合物と相溶性がないため、この解決法は想定することができない。
　【先行技術文献】
　【特許文献】
　【０００５】
　【特許文献１】欧州特許第０　９１６　３３５号
　【特許文献２】欧州特許第１　５３５　９４７号
　【特許文献３】欧州特許第１　５３５　９２５号
　【特許文献４】フランス特許第２　５５５　１６７号
　【特許文献５】フランス特許第２　６０２　２２８号
　【特許文献６】フランス特許第２　６０８　１５０号
　【特許文献７】欧州特許第６６９　３２３号
　【特許文献８】米国特許第２，４６３，２６４号
　【特許文献９】特開平２−２９５９１２号
　【非特許文献】
　【０００６】
　【非特許文献１】１９９０年にＥｌｓｅｖｉｅｒに発表されたＬ．Ｂｒａｎｎｏｎ−ＰａｐｐａｓおよびＲ．Ｈａｒｌａｎｄによる研究「Ａｂｓｏｒｂｅｎｔ　Ｐｏｌｙｍｅｒ　Ｔｅｃｈｎｏｌｏｇｙ、Ｓｔｕｄｉｅｓ　ｉｎ　Ｐｏｌｙｍｅｒ　Ｓｃｉｅｎｃｅ　８」
　【発明の概要】
　【発明が解決しようとする課題】
　【０００７】
　本発明の目的は、従来技術の欠点を有することなく優れた化粧特性を示すエマルジョンを生成できることである。
　【０００８】
　本出願人の会社は、有機ＵＶ遮断剤と組み合わせた高吸収性ポリマーの使用は、ベタつく作用を低下させ、さらには除去することもでき、高レベルの親油性ＵＶ遮断剤の存在下でも、皮膚への適用時に、特に軟らかさおよびすべりの、非常に優れた化粧特性を有する化粧品組成物、特にエマルジョンを生成できることを発見した。
　【課題を解決するための手段】
　【０００９】
　したがって、本発明の対象は、少なくとも１つの水相および少なくとも１つの脂肪相、高吸収性ポリマーおよび少なくとも１種の有機ＵＶ遮断剤を含むエマルジョンの形態の組成物である。
　【００１０】
　本発明の組成物は、特に局所適用を目的としているため、生理的に許容される媒体、すなわち、皮膚、爪、粘膜および（毛髪またはまつげなどの）角質繊維などのすべての角質性物質に適合する媒体を含む。
　【００１１】
　本発明によって得られた組成物は、適用時に均質で、非常に軟らかく、ベタつかずさわやかであり、したがって使用するのに心地良いテクスチャを有するという利点を示す。
　【００１２】
　本発明の他の対象は、角質性物質に上記で定義した組成物を適用することにある、角質性物質の美容的処置の方法である。
　【００１３】
　高吸収性ポリマー
　「高吸収性ポリマー」という用語は、乾燥状態で、ポリマー自体の重量の少なくとも２０倍の水性流体、具体的には水、特に蒸留水を自然に吸収することができるポリマーを意味することが理解される。かかる高吸収性ポリマーは、１９９０年にＥｌｓｅｖｉｅｒに発表されたＬ．Ｂｒａｎｎｏｎ−ＰａｐｐａｓおよびＲ．Ｈａｒｌａｎｄによる研究「Ａｂｓｏｒｂｅｎｔ　Ｐｏｌｙｍｅｒ　Ｔｅｃｈｎｏｌｏｇｙ、Ｓｔｕｄｉｅｓ　ｉｎ　Ｐｏｌｙｍｅｒ　Ｓｃｉｅｎｃｅ　８」に記載されている。
　【００１４】
　これらのポリマーは、水および水性流体を吸収するおよび保持する高い能力を有する。したがって、水性流体の吸収後、水性流体を含浸したポリマーの粒子は、水性流体中で不溶性のままであり、したがって、それらの別離した微粒子の状態を保持している。
　【００１５】
　高吸収性ポリマーは、それ自体の重量の２０〜２０００倍（すなわち、吸収性ポリマー１グラム当たりに吸収される水が２０ｇ〜２０００ｇ）、好ましくは３０〜１５００倍、さらには５０〜１０００倍の吸水能を有することができる。これらの吸水特性は、標準温度（２５℃）および圧力（７６０ｍｍＨｇ、すなわち、１００　０００Ｐａ）条件で蒸留水について定義される。
　【００１６】
　ポリマーの吸水能の値は、ポリマー０．５ｇを
水１
、吸
水
　【００１７】
　本発明の組成物に用いられる高吸収性ポリマーは、水和させると、膨潤して、１０μｍ〜１０００μｍの数平均直径を有する軟質のビーズを形成する粒子の形態で提供される。
　【００１８】
　好ましくは、高吸収性ポリマーは、数平均サイズが１００μｍ以下、好ましくは５０μｍ以下、例えば１０μｍ〜１００μｍの範囲である。
　【００１９】
　好ましくは、本発明で用いる高吸収性ポリマーは、球状粒子の形態で提供される。
　【００２０】
　本発明で用いる高吸収性ポリマーは好ましくは、好ましくは中和されており、微粒子の形態で提供される、架橋アクリルホモポリマーまたコポリマーである。
　【００２１】
−例えば、Ａｖｅｃｉａ社によってＯｃｔａｃａｒｅ　Ｘ１００、Ｘ１１０およびＲＭ１００という名で販売されているもの、ＳＮＦ社によってＦｌｏｃａｒｅ　ＧＢ３００およびＦｌｏｓｏｒｂ　５００という名で販売されているもの、ＢＡＳＦ社によってＬｕｑｕａｓｏｒｂ　１００３、Ｌｕｑｕａｓｏｒｂ　１０１０、Ｌｕｑｕａｓｏｒｂ　１２８０およびＬｕｑｕａｓｏｒｂ　１１００という名で販売されているもの、Ｇｒａｉｎ　Ｐｒｏｃｅｓｓｉｎｇ社によってＷａｔｅｒ　Ｌｏｃｋ　Ｇ４００およびＧ４３０（ＩＮＣＩ名：アクリルアミド／アクリル酸ナトリウムコポリマー）という名で販売されているもの、または住友精化株式会社によって提供されたＡｑｕａ　Ｋｅｅｐ　１０　ＳＨ　ＮＦなどの、架橋ポリアクリル酸ナトリウム、
−アクリルポリマー（ホモポリマーまたはコポリマー）によってグラフトされたデンプン、具体的には、三洋化成工業株式会社によってＳａｎｆｒｅｓｈ　ＳＴ−１００Ｃ、ＳＴ１００ＭＣおよびＩＭ−３００ＭＣという名で販売されているもの（ＩＮＣＩ名：ポリアクリル酸ナトリウムデンプン）などのポリアクリル酸ナトリウムによってグラフトされたデンプン、
−アクリルポリマー（ホモポリマーまたはコポリマー）によってグラフトされた加水分解デンプン、具体的には、Ｇｒａｉｎ　Ｐｒｏｃｅｓｓｉｎｇ社によってＷａｔｅｒ　Ｌｏｃｋ　Ａ−２４０、Ａ−１８０、Ｂ−２０４、Ｄ−２２３、Ａ−１００、Ｃ−２００およびＤ−２２３という名で販売されているもの（ＩＮＣＩ名：デンプン／アクリルアミド／アクリル酸ナトリウムコポリマー）などのアクリロアクリルアミド／アクリル酸ナトリウムコポリマーによってグラフトされた加水分解デンプン、
−Ｌｙｓａｃ社によってＬｙｓｏｒｂ　２２０という名で販売されている、デンプン、グアーガムおよびカルボキシメチルセルロースナトリウムを含むものなど、デンプン、ガムおよびセルロース誘導体に基づくポリマー、
−およびそれらの混合物から選択される吸収性ポリマーを特に挙げることができる。
　【００２２】
　好ましくは、高吸収性ポリマーは、好ましくは数平均サイズ（または平均直径）の１００ミクロン以下を有する粒子の形態、より好ましくは球状粒子の形態の、架橋ポリアクリル酸ナトリウムから選択される。これらのポリマーは、好ましくは、１０〜１００ｇ／ｇ、好ましくは２０〜８０ｇ／ｇ、さらには５０〜７０ｇ／ｇの吸水能を有する。
　【００２３】
　高吸収性ポリマーは、本発明の組成物中で、活性物質として、組成物の全重量に対して例えば、０．０３〜１５重量％、好ましくは０．０５〜１０重量％、好ましくは０．１〜５重量％、優先的には０．１〜３重量％、さらには０．１〜２重量％の含有量で存在することができる。
　【００２４】
有機遮断剤
　有機遮断剤は、一般に、本発明による組成物中で、組成物の全重量に対して０．０５〜３０重量％の割合で、好ましくは組成物の全重量に対して０．１〜２０重量％、さらには０．５〜１５重量％の割合で存在する。
　【００２５】
　有機遮断剤は、親油性もしくは親水性の有機遮断剤またはそれらの混合物から選択することができる。
　【００２６】
　「親油性遮断剤」という用語は、液体脂肪相に分子の状態で完全に溶解することができるあるいは液体脂肪相にコロイドの形態で（例えば、ミセルの形態で）溶解することができる任意の遮断剤を意味するものと理解される。
　【００２７】
　「親水性ＵＶ遮断剤」という用語は、ＵＶ線を遮断し、エマルジョンの水相に分子の状態で完全に溶解することができるあるいはエマルジョンの水相にコロイドの形態で（例えば、ミセルの形態で）溶解することができる任意の媒介物を意味するものと理解される。
　【００２８】
　好ましくは、組成物は、少なくとも１種の親油性有機遮断剤を含む。
　【００２９】
　親油性有機遮断剤は、パラアミノ安息香酸誘導体、サリチル酸誘導体、ケイ皮酸誘導体、ベンゾフェノンまたはアミノベンゾフェノン、アントラニル酸誘導体、ジベンゾイルメタン誘導体、β，β−ジフェニルアクリラート誘導体、ベンジリデンカンファー誘導体、フェニルベンゾイミダゾール誘導体、ベンゾトリアゾール誘導体、トリアジン誘導体、ビスレソルシニルトリアジン、イミダゾリン誘導体、ベンザルマロナート誘導体、４，４−ジアリールブタジエン誘導体、ベンゾオキサゾール誘導体、メロシアニン、ジフェニルブタジエンマロナートまたはジフェニルブタジエンマロニトリル誘導体、カルコンおよびそれらの混合物から選択することができる。
　【００３０】
　３２０〜４００ｎｍのＵＶ線を吸収することのできる親油性ＵＶ−Ａ遮断剤のうち、ジベンゾイルメタン誘導体：
−以下の式に対応する、Ｍｅｒｃｋ社によって「Ｅｕｓｏｌｅｘ　８０２０」という名で販売されている４−イソプロピルジベンゾイルメタン：
　【００３１】
　【化１】
　【００３２】
−次式の、Ｑｕｅｓｔ社によってＰｏｎｇａｍｏｌという名で販売をされている１−（４−メトキシ−１−ベンゾフラン−５−イル）−３−フェニルプロパン−ｌ，３−ジオン：
　【００３３】
　【化２】
　【００３４】
−次式の、１−（４−（ｔｅｒｔ−ブチル）フェニル）−３−（２−ヒドロキシフェニル）プロパン−１，３−ジオン：
　【００３５】
　【化３】
　【００３６】
−具体的にはＨｏｆｆｍａｎｎ−Ｌａ　Ｒｏｃｈｅ社によって「Ｐａｒｓｏｌ　１７８９」という商品名で販売されているブチルメトキシジベンゾイルメタン、
アミノベンゾフェノン：
「Ｕｖｉｎｕｌ　Ａ＋」という商品名で販売されている２−（４−ジエチルアミノ−２−ヒドロキシベンゾイル）安息香酸ｎ−ヘキシル、
アントラニル酸誘導体：
Ｈａａｒｍａｎｎ　ａｎｄ　Ｒｅｉｍｅｒ社によって「Ｎｅｏ　Ｈｅｌｉｏｐａｎ　ＭＡ」という商品名で販売されているアントラニル酸メンチル、
４，４−ジアリールブタジエン誘導体：
１，１−ジカルボキシ−（２，２’−ジメチルプロピル）−４，４−ジフェニルブタジエンを挙げることができる。
　【００３７】
　２８０〜３２０ｎｍのＵＶ線を吸収することができる親油性ＵＶ−Ｂ遮断剤のうち、パラアミノベンゾアート：
エチルＰＡＢＡ
エチルジヒドロキシプロピルＰＡＢＡ
エチルヘキシルジメチルＰＡＢＡ（ＩＳＰ社からのＥｓｃａｌｏｌ　５０７）
サリチル酸誘導体：
Ｒｏｎａ／ＥＭ　Ｉｎｄｕｓｔｒｉｅｓ社によって「Ｅｕｓｏｌｅｘ　ＨＭＳ」という名で販売されているホモサラート、
Ｈａａｒｍａｎｎ　ａｎｄ　Ｒｅｉｍｅｒ社によって「Ｎｅｏ　Ｈｅｌｉｏｐａｎ　ＯＳ」という名で販売されているサリチル酸エチルヘキシル、
Ｓｃｈｅｒ社によって「Ｄｉｐｓａｌ」という名で販売されているサリチル酸ジプロピレングリコール、
Ｈａａｒｍａｎｎ　ａｎｄ　Ｒｅｉｍｅｒ社によって「Ｎｅｏ　Ｈｅｌｉｏｐａｎ　ＴＳ」という名で販売されているサリチル酸ＴＥＡ、
シンナマート：
具体的にはＨｏｆｆｍａｎｎ−Ｌａ　Ｒｏｃｈｅ社によって「Ｐａｒｓｏｌ　ＭＣＸ」という商品名で販売されているメトキシケイ皮酸エチルヘキシル、
メトキシケイ皮酸イソプロピル、
Ｈａａｒｍａｎｎ　ａｎｄ　Ｒｅｉｍｅｒ社によって「Ｎｅｏ　Ｈｅｌｉｏｐａｎ　Ｅ　１０００」という商品名で販売されているメトキシケイ皮酸イソアミル、
メトキシケイ皮酸ジイソプロピル、
シノキサート、
ジメトキシケイ皮酸エチルヘキサン酸グリセリル、
β，β−ジフェニルアクリラート誘導体：
具体的にはＢＡＳＦ社によって「Ｕｖｉｎｕｌ　Ｎ５３９」という商品名で販売されているオクトクリレン、
具体的にはＢＡＳＦ社によって「Ｕｖｉｎｕｌ　Ｎ３５」という商品名で販売されているエトクリレン、
ベンジリデンカンファー誘導体：
Ｃｈｉｍｅｘ社によって「Ｍｅｘｏｒｙｌ　ＳＤ」という名で製造されている３−ベンジリデンカンファー、
Ｍｅｒｃｋ社によって「Ｅｕｓｏｌｅｘ　６３００」という名で販売されているメチルベンジリデンカンファー、
Ｃｈｉｍｅｘ社によって「Ｍｅｘｏｒｙｌ　ＳＷ」という名で製造されているポリアクリルアミドメチルベンジリデンカンファー、
トリアジン誘導体：
具体的には、ＢＡＳＦ社によって「Ｕｖｉｎｕｌ　Ｔ１５０」という商品名で販売されているエチルヘキシルトリアゾン、
Ｓｉｇｍａ　３Ｖ社によって「Ｕｖａｓｏｒｂ　ＨＥＢ」という商品名で販売されているジエチルヘキシルブタミドトリアゾン、
２，４，６−トリス（４’−アミノベンザルマロン酸ジネオペンチル）−ｓ−トリアジン、
２，４，６−トリス（４’−アミノベンザルマロン酸ジイソブチル）−ｓ−トリアジン、
２，４−ビス（４’−アミノベンザルマロン酸ジネオペンチル）−６−（４’−アミノ安息香酸ｎ−ブチル）−ｓ−トリアジン、
２，４−ビス（４’−アミノ安息香酸ｎ−ブチル）−６−（アミノプロピル−トリシロキサン）−ｓ−トリアジン、
イミダゾリン誘導体：
ジメトキシベンジリデンジオキソイミダゾリンプロピオン酸エチルヘキシル、
ベンザルマロナート誘導体：
Ｈｏｆｆｍａｎｎ−Ｌａ　Ｒｏｃｈｅ社によって「Ｐａｒｓｏｌ　ＳＬＸ」という商品名で販売されているポリシリコーン−１５などのベンザルマロナート官能基を含むポリオルガノシロキサン、
４’−メトキシベンザルマロン酸ジネオペンチル、
メロシアニン誘導体：
５−Ｎ，Ｎ−ジエチルアミノ−２−フェニルスルホニル−２，４−ペンタジエン酸オクチルを挙げることができる。
　【００３８】
　ＵＶ−Ａ線およびＵＶ−Ｂ線を吸収することができる親油性広域遮断剤のうち、ベンゾフェノン誘導体：
ＢＡＳＦ社によって「Ｕｖｉｎｕｌ　４００」という商品名で販売されているベンゾフェノン−１、
ＢＡＳＦ社によって「Ｕｖｉｎｕｌ　Ｄ５０」という商品名で販売されているベンゾフェノン−２、
ＢＡＳＦ社によって「Ｕｖｉｎｕｌ　Ｍ４０」という商品名で販売されているベンゾフェノン−３またはオキシベンゾン、
Ｎｏｒｑｕａｙ社によって「Ｈｅｌｉｓｏｒｂ　１１」という商品名で販売されているベンゾフェノン−６、
Ａｍｅｒｉｃａｎ　Ｃｙａｎａｍｉｄ社によって「Ｓｐｅｃｔｒａ−Ｓｏｒｂ　ＵＶ−２４」という商品名で販売されているベンゾフェノン−８、
ベンゾフェノン−１０、
ベンゾフェノン−１１、
ベンゾフェノン−１２、
ベンゾトリアゾール誘導体：
Ｒｈｏｄｉａ　Ｃｈｉｍｉｅ社によって「Ｓｉｌａｔｒｉｚｏｌｅ」という名で販売されているドロメトリゾールトリシロキサン、
Ｃｉｂａ−Ｇｅｉｇｙ社によって「Ｔｉｎｏｇｕａｒｄ　ＡＳ」という名で販売されているブメトリゾール、
ビスレソルシニルトリアジン誘導体：
Ｃｉｂａ　Ｇｅｉｇｙ社によって「Ｔｉｎｏｓｏｒｂ　Ｓ」という商品名で販売されているビスエチルヘキシルオキシフェノールメトキシフェニルトリアジン、
ベンゾオキサゾール誘導体：
Ｓｉｇｍａ　３Ｖ社によってＵｖａｓｏｒｂ　Ｋ２Ａという名で販売されている２，４−ビス［５−１（ジメチルプロピル）ベンゾオキサゾル−２−イル−（４−フェニル）イミノ］−６−（２−エチルヘキシル）イミノ−１，３，５−トリアジンを挙げることができる。
　【００３９】
　ジフェニルブタジエンマロナートまたはジフェニルブタジエンマロニトリルのファミリーの誘導体は、次の一般式（ＩＶ）の誘導体である。
　【００４０】
　【化４】
　【００４１】
式中、Ｒ３は、Ｃ１〜Ｃ２アルキル基またはＣ１〜Ｃ２アルコキシ基を表し、ｎは、０、１または２に等しく；
　Ｒ４およびＲ５は、同一であるかまたは異なっており、−ＣＯＯＲ６、−（Ｃ＝Ｏ）ＮＨＲ６、−（Ｃ＝Ｏ）Ｒ６または−ＣＮを表す（式中、Ｒ６は１〜１２個の炭素原子を含みシラン、シロキサンまたはポリシロキサン基を含むことができる、直鎖または分枝状のアルキル基を表す）。
　【００４２】
　具体的には、ジフェニルブタジエンマロナートまたはジフェニルブタジエンマロニトリル誘導体のうち、制限を含むことなく、
−　２−（３，３−ジフェニルプロプ−２−エニリデン）マロン酸ジメチル
−　２−（３，３−ジフェニルプロプ−２−エニリデン）マロン酸ジイソブチル
−　２−（３，３−ジフェニルプロプ−２−エニリデン）マロン酸ビス（１，３−ジメチルブチル）
−　２−（３，３−ジフェニルプロプ−２−エニリデン）マロン酸ジネオペンチル
−　（２Ｚ）−２−シアノ−５，５−ジフェニルペンタ−２，４−ジエン酸メチル
−　（２Ｚ）−２−（３，３−ジフェニルプロプ−２−エニリデン）マロン酸エチル（トリメチルシリル）メチル
−　（２Ｅ）−２−シアノ−５，５−ジフェニル−Ｎ−（３−｛１，３，３，３−テトラメチル−１−［（トリメチルシリル）オキシ］ジシロキサニル｝プロピル）ペンタ−２，４−ジエンアミド
−　２−メチル−３−｛１，３，３，３−テトラメチル−１−［（トリメチルシリル）オキシ］ジシロキサニル｝プロピル（２Ｅ）−２−（３，３−ジフェニルプロプ−２−エニリデン）マロン酸エチル
−　（２Ｚ）−５，５−ジフェニル−２−｛［（３−｛１，３，３，３−テトラメチル−１−［（トリメチルシリル）オキシ］ジシロキサニル｝プロピル）アミノ］カルボニル｝ペンタ−２，４−ジエン酸エチル。
を挙げることができる。
　【００４３】
　具体的には、上記ジフェニルブタジエン誘導体のうち、以下の式、
　【００４４】
　【化５】
　【００４５】
に対応する２−（３，３−ジフェニルプロプ−２−エニリデン）マロン酸ジネオペンチルを使用する。
　【００４６】
　日光防止組成物にこれらのジフェニルブタジエン誘導体を使用することが知られており、欧州特許第０　９１６　３３５号は炭素誘導体およびその調製方法を記載しており、欧州特許第１　５３５　９４７号および欧州特許第１　５３５　９２５号は、それぞれシロキサンおよびシラン誘導体を記載している。
　【００４７】
　カルコンのファミリーの誘導体は、以下の一般式（Ｖ）の誘導体である。
　【００４８】
　【化６】
　【００４９】
式中、Ｒ６およびＲ７基は、互いがそれぞれ独立に、水素原子、ヒドロキシ基、直鎖または分枝状のＣ１〜Ｃ１２アルキルまたはアルケニル基、直鎖または分枝状のＣ１〜Ｃ１２アルコキシ基または直鎖または分枝状のＣ２〜Ｃ２０アシルオキシ基を意味し；
ｐおよびｑを意味する
　【００５０】
　具体的には、カルコン誘導体のうち、示される制限なしに、
−　２’−ヒドロキシカルコン
−　４’−ヒドロキシカルコン
−　４’−メトキシカルコン
−　２’−ヒドロキシ−４−メトキシカルコン
−　２’−ヒドロキシ−４−ヘキシルオキシカルコン
−　２’−ヒドロキシ−４−メチルカルコン
−　２’−ヒドロキシ−３−ヘキシルオキシカルコン
−　２’−ヒドロキシ−４’−ヘキシルオキシ−４−メチルカルコン
−　２’−ヒドロキシ−４’−ヘキサノイルオキシ−４−メトキシカルコン
−　２’，４’，４−トリヒドロキシ−３，３’−ジアリルカルコン（Ｋａｚｏｎｏｌという名で知られている）
−２’，４’，４−トリヒドロキシ−５’−（３−メチルブト−２−エニル）カルコン（Ｂｒｏｕｓｓｏｃｈａｌｃｏｎｅ　Ｂという名で知られている）
−２’，３’，４’，６’，４−ペンタヒドロキシカルコン（Ｃａｒｔｈａｍｉｎという名で知られている）を挙げることができる。
　【００５１】
　具体的には、上記カルコン誘導体のうち、以下の式（Ｖａ）
　【００５２】
　【化７】
　【００５３】
に対応する４’−ヒドロキシカルコン、
または以下の式（Ｖｂ）：
　【００５４】
　【化８】
　【００５５】
に対応する２’，３’，４’，６’，４−ペンタヒドロキシカルコン（Ｃａｒｔｈａｍｉｎという名で知られている）を使用する。
　【００５６】
　特に、フランス特許第２　５５５　１６７号、フランス特許第２　６０２　２２８号およびフランス特許第２　６０８　１５０号において、これらのカルコン誘導体を日光防止組成物に用いることが知られている。
　【００５７】
　親油性有機ＵＶ遮断剤は、好ましくは、
−サリチル酸誘導体、具体的にはホモサラートまたはサリチル酸エチルヘキシル、
−メトキシケイ皮酸エチルヘキシルなどのケイ皮酸誘導体、
−オクトクリレンなどのβ，β−ジフェニルアクリラート誘導体、
−ブチルメトキシジベンゾイルメタンなどのジベンゾイルメタン誘導体、
−エチルヘキシルトリアゾンまたはジエチルヘキシルブタミドトリアゾンなどのトリアジン誘導体、
−ドロメトリゾールトリシロキサンなどのベンゾトリアゾール誘導体、
−およびそれらの混合物
から選択することができる。
　【００５８】
　本発明に従って用いることができる親水性もしくは水溶性ＵＶ遮断剤のうち、ＩＮＣＩ名で下記に示される、以下の遮断剤、すなわち、
Ｃｈｉｍｅｘ社によって「Ｍｅｘｏｒｙｌ　ＳＸ」という名で製造されているテレフタリリデンジカンファースルホン酸、欧州特許第６６９　３２３号および米国特許第２，４６３，２６４号に記載されているなどのビスベンゾオキサゾリル誘導体、より具体的には、Ｈａａｒｍａｎｎ　ａｎｄ　Ｒｅｉｍｅｒ社によって「Ｎｅｏ　Ｈｅｌｉｏｐａｎ　ＡＰ」という商品名で販売されている化合物フェニルジベンズイミダゾールテトラスルホン酸二ナトリウムなどの３２０〜４００ｎｍのＵＶ線を吸収することができる水溶性ＵＶ−Ａ遮断剤：
ＰＡＢＡ、グリセリルＰＡＢＡおよびＢＡＳＦ社によって「Ｕｖｉｎｕｌ　Ｐ２５」という名で販売されているＰＥＧ−２５　ＰＡＢＡなどのｐ−アミノ安息香酸（ＰＡＢＡ）誘導体、
具体的には、Ｍｅｒｃｋ社によって「Ｅｕｓｏｌｅｘ　２３２」という商品名で販売されているフェニルベンズイミダゾールスルホン酸、
フェルラ酸、
サリチル酸、
メトキシケイ皮酸ＤＥＡ、
Ｃｈｉｍｅｘ社によって「Ｍｅｘｏｒｙｌ　ＳＬ」という名で製造されているベンジリデンカンファースルホン酸、
Ｃｈｉｍｅｘ社によって「Ｍｅｘｏｒｙｌ　ＳＯ」という名で製造されているカンファーベンザルコニウムメトスルファートなどの２８０〜３２０ｎｍのＵＶ線を吸収することができる水溶性ＵＶ−Ｂ遮断剤、および
ＢＡＳＦ社によって「Ｕｖｉｎｕｌ　ＭＳ４０」という商品名で販売されているベンゾフェノン−４、
ベンゾフェノン−５、および
ベンゾフェノン−９などの水溶性ＵＶ−ＡおよびＵＶ−Ｂ遮断剤を挙げることができる。
　【００５９】
水相
　本発明による組成物の水相は、少なくとも水を含む。組成物の配合形態に応じて、水相の量は、組成物の全重量に対して０．１〜９９重量％、好ましくは０．５〜９８重量％、さらには３０〜９５重量％、さらにより良いのは４０〜９５重量％の範囲となり得る。この量は、所望の組成物の配合形態に依存する。水の量は、すべてのまたは一部の水相を表すことができ、それは一般に組成物の全重量に対して少なくとも３０重量％である。
　【００６０】
　水相は、例えば、エタノール、プロパノール、ブタノール、イソプロパノールまたはイソブタノールなどの１〜８個の炭素原子を有する、実質的に直鎖または分枝状の低級モノアルコール、プロピレングリコール、イソプレングリコール、ブチレングリコール、プロピレングリコール、グリセロール、ソルビトール、ポリエチレングリコールおよびそれらの誘導体などのポリオール、およびそれらの混合物など、少なくとも１種の親水性溶媒を含むことができる。
　【００６１】
脂肪相
　エマルジョンの脂肪相の割合は、例えば、組成物の全重量に対して１〜８０重量％、好ましくは２〜５０重量％、さらには５〜３０重量％の範囲となり得る。
　【００６２】
　指示したこの量は、親油性遮断剤の含有量を含まない。
　【００６３】
　エマルジョンの脂肪相（または油相）の性質は決定的ではない。したがって、脂肪相は、化粧品分野および皮膚科学分野において通常どおり用いられる任意の脂肪物質を含むことができ、脂肪相は、特に、少なくとも１種の油（２５℃で液体である脂肪物質）を含む。
　【００６４】
　本発明の組成物に用いることができる油として、例えば、
−ペルヒドロスクアレンなど、動物由来の炭化水素油；
−ヘプタン酸またはオクタン酸のトリグリセリド、または、例えば、ヒマワリ油、トウモロコシ油、大豆油、キュウリ油、グレープシード油、ゴマ油、ヘーゼルナッツ油、杏油、マカダミア油、アララ油、ヒマシ油またはアボカド油、Ｓｔｅａｒｉｎｅｒｉｅｓ　Ｄｕｂｏｉｓ社によって販売されているものまたはＤｙｎａｍｉｔ　Ｎｏｂｅｌ社によってＭｉｇｌｙｏｌ　８１０、８１２および８１８という名で販売されているものなどのカプリル酸／カプリン酸のトリグリセリド、ホホバ油またはシアバター油など、４〜１０個の炭素原子を含む脂肪酸液体トリグリセリドなどの、植物由来の炭化水素油；
−例えば、ピュアセリン油、イソノナン酸イソノニル、ミリスチン酸イソプロピル、パルミチン酸２−エチルヘキシル、ステアリン酸２−オクチルドデシル、エルカ酸２−オクチルドデシルまたはイソステアリン酸イソステアリル；乳酸イソステアリル、ヒドロキシステアリン酸オクチル、ヒドロキシステアリン酸オクチルドデシル、リンゴ酸ジイソステアリル、クエン酸トリイソセチルまたは脂肪アルコールのヘプタナート、オクタナートもしくはデカノアートなどのヒドロキシル化エステル；ジオクタン酸プロピレングリコール、ジヘプタン酸ネオペンチルグリコールおよびジイソノナン酸ジエチレングリコールなどのポリオールエステル；およびテトライソステアリン酸ペンタエリスリチルなどのペンタエリスリトールエステルなど、油または式ＲａＣＯＯＲｂおよびＲａＯＲｂ（式中、Ｒａは、８〜２９個の炭素原子を含む脂肪酸の残基を表し、Ｒｂは、３〜３０個の炭素原子を含む分枝または非分枝炭化水素鎖を表す）などの特に脂肪酸の合成エステルおよびエーテル；
−揮発性であってもなくてもよい流動パラフィンおよびそれらの誘導体、ワセリン、ポリデセン、イソヘキサデカン、イソドデカンまたはＰａｒｌｅａｍ（登録商標）油などの水素化ポリイソブテンなどの、鉱物由来または合成由来の実質的に直鎖または分枝状の炭化水素；
−セチルアルコール、ステアリルアルコールおよびそれらの混合物（セテアリルアルコール）、オクチルドデカノール、２−ブチルオクタノール、２−ヘキシルデカノール、２−ウンデシルペンタデカノール、オレイルアルコールまたはリノレイルアルコールなど、８〜２６個の炭素原子を有する脂肪アルコール；
−アルコキシ化脂肪アルコール、具体的には、ｏｌｅｔｈ−１２、セテアレス−１２およびセテアレス−２０などのエトキシ化脂肪アルコール；
−特開平２−２９５９１２号の文献に記載されているものなど、炭化水素および／またはシリコーンを部分的に含むフッ素化油。フッ素化油として、ＢＮＦＬ　Ｆｌｕｏｒｏｃｈｅｍｉｃａｌｓ社によって「Ｆｌｕｔｅｃ　ＰＣ１（登録商標）」および「Ｆｌｕｔｅｃ　ＰＣ３（登録商標）」という名で販売されているペルフルオロメチルシクロペンタンおよびペルフルオロ−１，３−ジメチルシクロヘキサン；ペルフルオロ−１，２−ジメチルシクロブタン；３Ｍ社によって「ＰＦ　５０５０（登録商標）」および「ＰＦ　５０６０（登録商標）」という名で販売されているドデカフルオロペンタンおよびテトラデカフルオロヘキサン、またはＡｔｏｃｈｅｍ社によって「Ｆｏｒａｌｋｙｌ（登録商標）」という名で販売されているブロモペルフルオロオクチルなどのペルフルオロアルカン；３Ｍ社によって「ＭＳＸ　４５１８（登録商標）」という名で販売されているノナフルオロメトキシブタン、およびノナフルオロエトキシイソブタン；または３Ｍ社によって「ＰＦ　５０５２（登録商標）」という名で販売されている４−（トリフルオロメチル）ペルフルオロモルホリンなどのペルフルオロモルホリン誘導体；
−周囲温度で液体またくはペーストである実質的に直鎖または環式のシリコーン鎖を含む揮発性または不揮発性ポリメチルシロキサン（ＰＤＭＳ）などのシリコーン油、具体的には、シクロヘキサジメチルシロキサンおよびシクロオエンタジメチルシロキサンなどのシクロポリジメチルシロキサン（シクロメチコン）；ペンダントアルキル、アルコキシもしくはフェニル基またはシリコーン鎖の末端のアルキル、アルコキシもしくはフェニル基を含むポリジメチルシロキサンであり、これらの基は２〜２４個の炭素原子を有するポリジメチルシロキサン；または、フェニルトリメチコン、フェニルジメチコン、フェニル（トリメチルシロキシ）ジフェニルシロキサン、ジフェニルジメチコン、ジフェニル（メチルジフェニル）−トリシロキサン、（２−フェニルエチル）トリメチルシロキシシリカートおよびポリメチルフェニルシロキサンなどのフェニル化シリコーン；
−それらの混合物を挙げることができる。
　【００６５】
　上記油のリストにおいて「炭化水素油」という用語は、主に炭素原子および水素原子、場合によってはエステル、エーテル、フッ素化された、カルボン酸および／またはアルコール基を含む任意の油を意味するものと理解される。
　【００６６】
　油相中に存在し得る他の脂肪物質は、例えば、ステアリン酸、ラウリン酸、パルミチン酸およびオレイン酸などの８〜３０個の炭素原子をを含む脂肪酸；ラノリン、蜜ロウ、カルナウバロウもしくはカンデリラロウ、パラフィン、亜炭ロウもしくは微結晶性ワックス、セレシンもしくはオゾケライト、またはポリエチレンワックスもしくはフィッシャー−トロプシュワックスなどの合成ワックスなどのワックス；またはワセリンパスタ剤である。
　【００６７】
　これらの脂肪物質は、例えば、コンシステンシーまたはテクスチャなどの所望の特性を有する組成物を調製するために、当業者によって変わるやり方で選択することができる。
　【００６８】
　エマルジョンは、一般に、単独でもしくは混合物として用いられる両性の、陰イオン性、陽イオン性または非イオン性乳化剤から選択される少なくとも１種の乳化剤を含む。乳化剤は、得ようとするエマルジョン（Ｗ／ＯまたはＯ／Ｗ）に従って適当に選択される。
　【００６９】
　乳化剤は、一般に、組成物中で組成物の全重量に対して０．１〜３０重量％、好ましくは、０．２〜２０重量％の割合で存在する。
　【００７０】
　Ｗ／Ｏ型エマルジョンについて、例えば、乳化剤として、ジメチコンコポリマー、例えば、Ｄｏｗ　Ｃｏｒｎｉｎｇ社によって「ＤＣ　５２２５　Ｃ」という名で販売されているシクロメチコンとジメチコンコポリオールの混合物、アルキルジメチコンポリオール、例えば、Ｄｏｗ　Ｃｏｒｎｉｎｇ社によって「Ｄｏｗ　Ｃｏｒｎｉｎｇ　５２００　Ｆｏｒｍｕｌａｔｉｏｎ　Ａｉｄ」という名で販売されているラウリルジメチコンコポリオール、Ｇｏｌｄｓｃｈｍｉｄｔ社によってＡｂｉｌ　ＥＭ　９０（登録商標）という名で販売されているセチルジメチコンコポリオール、またはＧｏｌｄｓｃｈｍｉｄｔ社によってＡｂｉｌ　ＷＥ　０９という名で販売されている４イソステアリン酸ポリグリセリル／セチルジメチコンコポリオール／ラウリン酸ヘキシル混合物などのアルキルジメチコンコポリオールを挙げることができる。Ｗ／Ｏ型エマルジョンはまた１種または複数の乳化補助剤をそこに加えることもできる。有利には、乳化補助剤は、ポリオールアルキルエステルからなる群から選択することができる。具体的には、ポリオールアルキルエステルとして、グリセロールおよび／またはソルビタンエステル、例えばＧｏｌｄｓｃｈｍｉｄｔ社によってＩｓｏｌａｎ　ＧＩ　３４という名で販売されている製品などのイソステアリン酸ポリグリセロール、ＩＣＩ社によってＡｒｌａｃｅｌ　９８７という名で販売されている製品などのイソステアリン酸ソルビタン、またはＩＣＩ社によってＡｒｌａｃｅｌ　９８６という名で販売されている製品などのイソステアリン酸ソルビタングリセリル、およびそれらの混合物を挙げることができる。
　【００７１】
　Ｏ／Ｗ型エマルジョンについて、例えば、乳化剤として、非イオン性界面活性剤、具体的には、ポリオールおよび例えば、８〜２４個の炭素原子、さらには１２〜２２個の炭素原子を含む飽和または不飽和の鎖を有する脂肪酸のエステルおよびそれらのオキシアルキレン化誘導体、すなわち、オキシエチレンおよび／またはオキシプロピレン単位を含むもの例えば、グリセロールおよびＣ８〜Ｃ２４脂肪酸のエステルおよびそれらのオキシアルキレン化誘導体；ポリエチレングリコールおよびＣ８〜Ｃ２４脂肪酸のエステル、およびそれらのオキシアルキレン化誘導体；ソルビトールおよびＣ８〜Ｃ２４脂肪酸のエステル、およびそれらのオキシアルキレン化誘導体；脂肪アルコールのエーテル；糖のエーテルおよびＣ８〜Ｃ２４脂肪アルコールのエーテル、およびそれらの混合物を挙げることができる。
　【００７２】
　具体的には、グリセロールおよび脂肪酸のエステルとして、ステアリン酸グリセリル（モノステアリン酸グリセリル、ジステアリン酸グリセリルおよび／またはトリステアリン酸グリセリル）（ＣＴＦＡ名：ステアリン酸グリセリル）またはリシノール酸グリセリル、およびそれらの混合物を挙げることができる。
　【００７３】
　具体的には、ポリエチレングリコールおよび脂肪酸のエステルとして、ステアリン酸ポリエチレングリコール（モノステアリン酸ポリエチレングリコール、ジステアリン酸ポリエチレングリコールおよび／またはトリステアリン酸ポリエチレングリコール）、より具体的には、モノステアリン酸ポリエチレングリコール５０　ＥＯ（ＣＴＦＡ名：ステアリン酸ＰＥＧ−５０）、モノステアリン酸ポリエチレングリコール１００　ＥＯ（ＣＴＦＡ名：ステアリン酸ＰＥＧ−１００）およびそれらの混合物を挙げることができる。
　【００７４】
　例えば、ステアリン酸グリセリルおよびＵｎｉｑｕｅｍａ社によってＡｒｌａｃｅｌ　１６５という名で販売されているステアリン酸ＰＥＧ−１００を含む製品ならびにステアリン酸グリセリル（モノステアリン酸グリセリル／ジステアリン酸グリセリル）およびＧｏｌｄｓｃｈｍｉｄｔ社によってＴｅｇｉｎという名で販売されているステアリン酸カリウム（ＣＴＦＡ名：ステアリン酸グリセリルＳＥ）を含む生成物などの、これらの界面活性剤の混合物を用いることもできる。
　【００７５】
　脂肪アルコールのエーテルとして、例えば、ポリエチレングリコールおよびセチルアルコール、ステアリルアルコールまたはセテアリルアルコール（セチルアルコールとステアリルアルコールの混合物）のエーテルなどの、ポリエチレングリコールのエーテルおよび８〜３０個の炭素原子、具体的には１０〜２２個の炭素原子を含む脂肪アルコールのエーテルを挙げることができる。例えば、ＣＴＦＡ名セテアレス−２０およびセテアレス−３０、およびそれらの混合物を有するものなど、１〜２００個、好ましくは、２〜１００個のオキシエチレン基を含むエーテルを挙げることができる。
　【発明を実施するための形態】
　【００７６】
　具体的な実施形態によれば、組成物は、疎水性改質イヌリンから選択される少なくとも１種の乳化剤を含む。
　【００７７】
　本発明による「疎水性改質イヌリン」という用語は、特に、疎水性鎖によって改質されたイヌリン、具体的には、疎水性鎖を前記イヌリンの親水性主鎖にグラフトすることによって改質されたイヌリンを意味するものと理解される。
　【００７８】
　イヌリンは、本質的に直鎖のフルクタンのファミリー、すなわち、主にβ−２−１結合によって結合されている果糖単位に属する。
　【００７９】
　イヌリンは、例えば、チコリー、ダリアまたはキクイモから得ることができる。好ましくは、本発明による組成物中で用いるイヌリンは、例えば、チコリーから得られる。
　【００８０】
　本発明による組成物中で用いるイヌリンは、疎水性として改変される。具体的には、イヌリンは、疎水性鎖をフルクタンの親水性主鎖にグラフトすることによって得られる。
　【００８１】
　フルクタンの主鎖にグラフトされることができる疎水性鎖は、特に、アルキル、アリールアルキル、アルキルアリールもしくはアルキレン基などの１〜５０個の炭素原子を有する飽和もしくは不飽和のおよび直鎖または分枝状の炭化水素鎖、２価の脂環式基またはオルガノポリシロキサン鎖となり得る。これらの炭化水素鎖またはオルガノポリシロキサン鎖は、特に、１種または複数のエステル、アミド、ウレタン、カルバマート、チオカルバマート、尿素、チオ尿素および／またはスルホンアミド官能基、具体的には、メチレンジシクロヘキシルおよびイソホロンなど、またはフェニレンなどの２価の芳香族基を含むことができる。
　【００８２】
　具体的には、イヌリンは２〜約１０００の重合度、好ましくは、２〜約６０の重合度および果糖単位に基づいて２個未満の置換度を示す。
　【００８３】
　好ましい実施形態によれば、疎水性鎖は、式Ｒ−ＮＨ−ＣＯ−（Ｒは１〜２２個の炭素原子を有するアルキル基である）の少なくとも１つのアルキルカルバマート基を示す。
　【００８４】
　より好ましい実施形態によれば、疎水性鎖は、ラウリルカルバマート基である。
　【００８５】
　具体的には、本発明による組成物に用いることができる疎水性改質イヌリンを例示するやり方によっておよびそれが示される制限なしに、Ｅｎｇｅｌｈａｒｄ社によってＬｉｆｉｄｒｅｍ　ＩＮＳＴおよびＣｉｂａ社によってＲｈｅｏｐｅａｒｌ　ＩＮＳという名で販売されているものなどのステアロイルイヌリン、Ｅｎｇｅｌｈａｒｄ社によってＬｉｆｉｄｒｅｍ　ＩＮＵＫおよびＬｉｆｉｄｒｅｍ　ＩＮＵＭという名で販売されているものなどのパルミトイルイヌリン、ウンデシレノイルイヌリン、およびＯｒａｆｔｉ社によってＩｎｕｔｅｃ　ＳＰ１という名で販売されているものなどのイヌリンラウリルカルバマートを挙げることができる。
　【００８６】
　具体的には、ラウリルカルバマートでグラフトされたイヌリンを使用し、特に、ラウリルイソシアナートをイヌリン、具体的には、チコリーからのイヌリンと反応させることによって生じる。これらの化合物の実施例として、特にＯｒａｆｔｉ社によってＩｎｕｔｅｃ　ＳＰ１という名で販売されている製品を挙げることができる。
　【００８７】
　本発明の組成物における疎水性改質イヌリンのレベルは、前記組成物の全重量に対して（活性物質の）０．０１〜２０重量％、好ましくは０．０１〜１０重量％、好ましくは０．０５〜１０重量％、具体的には０．１〜１０重量％、好ましくは０．１〜５重量％、さらにより好ましくは０．１〜１重量％の範囲となり得る。
　【００８８】
　既知のやり方において、本発明のすべての組成物は、親水性もしくは親油性ゲル化剤および／または増粘剤；保湿剤；皮膚軟化剤；遊離基と戦う親水性もしくは親油性有効成分、薬剤；金属イオン遮閉剤；酸化防止剤；保存剤；塩基性化剤または酸性化剤；香料；皮膜形成剤；着色材（酸化鉄および二酸化チタンなどの色素、パール剤または可溶性色素）；充填剤；およびそれらの混合物などの化粧品分野および皮膚科学分野において普通の補助剤の１種または複数を含むことができる。
　【００８９】
　これらの様々な補助剤の量は、これらの分野で考慮して通常どおり用いられるものである。特に、有効成分の量は、所望の目的によって変わり、これらの分野で考慮して通常どおり用いられるものであり、例えば、組成物の全重量の０．１〜２０％、好ましくは０．５〜１０％である。
　【００９０】
　上記のポリマー以外の親水性ゲル化剤として、例えば、カルボポール（カルボマー）、およびＰｅｍｕｌｅｎ製品（アクリラート／Ｃ１０〜Ｃ３０−アルキルアクリラートコポリマー）などのカルボキシビニルポリマー；例えば、Ｓｅｐｐｉｃ社によってＳｅｐｉｇｅｌ　３０５（ＣＴＦＡ名：ポリアクリルアミド／Ｃ１３〜１４イソパラフィン／ラウレス−７）またはＳｉｍｕｌｇｅｌ　６００（ＣＴＦＡ名：アクリルアミド／アクリロイルジメチルタウリン酸ナトリウムコポリマー／イソヘキサデカン／ポリソルベート　８０）という名で販売されている架橋コポリマーなどのポリアクリルアミド；ヒドロキシエチルセルロースなどのセルロース誘導体；多糖類、特に、キサンタンガムなどのガム；およびこれらの混合物を挙げることができる。
　【００９１】
　親油性ゲル化剤として、ヘクトライトおよびその誘導体などの改質された粘土、例えば、Ｂｅｎｔｏｎｅという名で販売されている製品を挙げることができる。
　【００９２】
有効成分
　上記で示したように、本発明の組成物は、酸化感受性親水性有効成分の存在下で安定であり、前記有効成分を安定化することができる。本発明によれば、「親水性有効成分」という用語は、周囲温度（２５℃）で少なくとも０．２５％の水に溶解性を有する化合物を意味するものと理解される。さらに、本発明によれば、「酸化感受性親水性有効成分」という用語は、酸化機序によって分解されることのできる天然起源または合成起源の任意の有効成分を意味するものと理解される。このような酸化現象は、いくつかの原因、特に酸素、光または金属イオンの存在、高温またはある種のｐＨ状態を有し得る。
　【００９３】
　酸化感受性親水性有効成分の例として、限定を意味することなく、５，６−ジ−Ｏ−ジメチルシリルアスコルバート（Ｅｘｓｙｍｏｌ社によってＰｒｏ−ＡＡという参照名で販売されている）、ｄ１−α−トコフェリル−２１−アスコルビルホスファートのカリウム塩（千寿製薬株式会社によってＳｅｐｉｖｉｔａｌ　ＥＰＣという参照名で販売されている）、リン酸アスコルビルマグネシウムまたはリン酸アスコルビルナトリウム（Ｒｏｃｈｅ社によってＳｔａｙ−Ｃ　５０という参照名で販売されている）、フロログルシノール、酵素およびそれらの混合物などのアスコルビン酸およびその誘導体を挙げることができる。本発明の好ましい実施形態によれば、酸化感受性親水性有効成分の中でも、アスコルビン酸を用いることができる。アスコルビン酸は、任意の性質のものとなり得る。したがって、アスコルビン酸は、天然起源のもので、粉末の形態またはオレンジ果汁、好ましくは濃縮されたオレンジ果汁の形態となり得る。アスコルビン酸はまた、合成起源のもので、好ましくは粉末の形態となり得る。
　【００９４】
　本発明の組成物に用いることができる他の有効成分として、例えば、タンパク質加水分解物およびグリセロールまたは例えばポリエチレングリコールなどのグリコールなどのポリオールなどの保湿剤；天然抽出物；抗炎症薬；プロシアニドールオリゴマー；ビタミンＡ（レチノール）、ビタミンＥ（トコフェロール）、ビタミンＢ５（パンテノール）、ビタミンＢ３（ナイアシンアミド）などのビタミン、これらのビタミン誘導体（特にエステル）およびこれらの混合物；尿素；カフェイン；コウジ酸、ヒドロキノンおよびコーヒー酸などの脱色素剤；サリチル酸およびその誘導体；乳酸およびグリコール酸などのα−ヒドロキシ酸およびそれらの誘導体；カロテノイドおよびビタミンＡ誘導体などのレチノイド；ヒドロコルチゾン；メラトニン；藻類抽出物、真菌抽出物、植物抽出物、酵母抽出物または細菌抽出物；ステロイド；２，４，４’−トリクロロ−２’−ヒドロキシジフェニルエーテル（すなわちトリクロサン）、３，４，４’−トリクロロカルバニリド（すなわちトリクロカルバン）および上記で示した酸、具体的には、サリチル酸およびその誘導体などの抗菌性の有効成分；繊維などのつや消し剤；引き締め剤；およびそれらの混合物を挙げることができる。
　【００９５】
　有機日焼け止め（またはＵＶ遮断剤）に加えて、本発明による組成物は、５００ｎｍ以下、より好ましくは５ｎｍ〜５００ｎｍ、さらにより好ましくは１０ｎｍ〜１００ｎｍ、好ましくは１５ｎｍ〜５０ｎｍの個別の平均粒度を有する金属酸化物粒子である無機ＵＶ遮断剤をさらに含むことができる。これらは、特に、チタン、亜鉛、鉄、ジルコニウムまたは酸化セリウムまたはそれらの混合物から選択することができる。それらの多少強い親油性の性質によって、または反対に、親水性の性質によって、無機遮断剤は、エマルジョンの脂肪相中にまたは水相中で、さらには、同時に両相に存在することができる。
　【００９６】
　本発明による組成物は、ＵＶ線を吸収する少なくとも１つの基を含む不溶性有機ＵＶ遮断剤をさらに含むことができ、遮断剤は、具体的には、オキサルアニリド、ビニルアミド、ケイ皮酸アミド、ベンザゾール、ベンゾフラン、アリールビニリデンケトン、アクリロニトリルアミド、アクリロニトリルスルホンアミド、アクリロニトリルカルバマートまたはフェニレンビス（ベンゾオキサジノン）型の不溶性有機ＵＶ遮断剤から選択することができる。
　【００９７】
　本発明の組成物中で用いることができる充填剤として、例えば、チタン、亜鉛もしくは酸化鉄などの色素および有機色素；カオリン；シリカ；タルク；窒化ホウ素；球状有機粉末；繊維；およびそれらの混合物を挙げることができる。球状有機粉末として、例えば、ポリアミド粉末、特にＮｙｌｏｎ−１またはポリアミド１２などのＮｙｌｏｎ（登録商標）、Ａｔｏｃｈｅｍ社によってＯｒｇａｓｏｌという名で販売されている粉末；ポリエチレン粉末；Ｔｅｆｌｏｎ（登録商標）；Ｄｏｗ　Ｃｏｒｎｉｎｇ社によってＰｏｌｙｔｒａｐという名で販売されているエチレングリコールジメタクリラート／メタクリル酸ラウリルコポリマーで作られたものなどの、アクリルコポリマーに基づくミクロスフェア；中空ミクロスフェアなどの発泡粉末、特に、Ｋｅｍａｎｏｒｄ　Ｐｌａｓｔ社によってＥｘｐａｎｃｅｌという名で販売されているミクロスフェアまたは松本株式会社によってＭｉｃｒｏｐｅａｒｌ　Ｆ　８０　ＥＤという名で販売されているミクロスフェア；東芝シリコーン株式会社によってＴｏｓｐｅａｒｌという名で販売されているものなど、シリコーン樹脂ミクロビーズ；Ｍａｔｓｕｍｏｔｏ社によってＭｉｃｒｏｓｐｈｅｒｅ　Ｍ−１００という名で販売されているまたはＷａｃｋｈｅｒｒ社によってＣｏｖａｂｅａｄ　ＬＨ８５という名で販売されているメタクリル酸ポリメチルミクロスフェア；住友精化株式会社によってＦｌｏｂｅａｄｓという名で販売されているものなど、エチレン／アクリラートコポリマー粉末；またはデンプン粉末、具体的には架橋もしくは非架橋トウモロコシデンプン、コムギデンプンまたはコメデンプンから形成された粉末などの天然有機物質から形成された粉末、Ｎａｔｉｏｎａｌ　Ｓｔａｒｃｈ社によってＤｒｙ−Ｆｌｏという名で販売されている、オクテニル無水コハク酸で架橋されたデンプンから形成された粉末などを挙げることができる。繊維として、例えば、ポリアミド繊維、特に、Ｎｙｌｏｎ　６（またはポリアミド　６）（ＩＮＣＩ名：Ｎｙｌｏｎ　６）から形成された繊維またはＮｙｌｏｎ　６，６（またはポリアミド　６６）（ＩＮＣＩ名：Ｎｙｌｏｎ　６６）から形成された繊維などあるいはポリ（ｐ−フェニレンテレフタルアミド）から形成された繊維など；およびそれらの混合物を挙げることができる。これらの充填剤は、組成物の全重量に対して０〜２０重量％、好ましくは、０．５〜１０重量％の量で存在することができる。
　【００９８】
　もちろん、本発明による組成物に本質的に付随する有利な特性が、想定された添加により有害な影響を受けない、または実質的に受けないように、当業者は注意して、任意選択の補助剤または本発明による組成物に添加される補助剤を選択するであろう。
　【００９９】
　本発明による組成物は、ローション剤またはセラムタイプの分散液、脂肪相を水相中で分散させる（Ｏ／Ｗ）ことによってまたは逆の場合（Ｗ／Ｏ）で分散させることによって得られるエマルジョンタイプの液体もしくは半液体コンシステンシーを有するエマルジョン、クリームもしくはゲルタイプの軟質の、半固形もしくは固形コンシステンシーを有する懸濁剤またはエマルジョン、複合（Ｗ／Ｏ／ＷまたはＯ／Ｗ／Ｏ）型エマルジョン、マイクロエマルジョン、イオンおよび／または非イオン型の気泡分散液、またはワックス／水相分散液の形態で提供することができる。これらの組成物は、通常の方法に従って調製される。
　【０１００】
　本発明の好ましい実施形態によれば、組成物は、エマルジョン、特にＯ／Ｗ型エマルジョンの形態で提供される。
　【０１０１】
　さらに、本発明に従って用いる組成物は、やや液体となり得、ゲル剤、白色のもしくは着色されたクリーム剤、軟膏剤、エマルジョン、ローション剤、血清、パスタ剤または発泡体の外観を有し得る。
　【０１０２】
　組成物は、好ましくは、皮膚を考慮し、一般に３〜８、好ましくは４．５〜７の範囲であるｐＨを示す。
　【０１０３】
　本発明の他の対象は、日光防御生成物（日光および／または日焼けデバイスのＵＶ線に対する防御）として、上記で定義した化粧品組成物の化粧品としての使用である。
　【０１０４】
　しかし、以下の実施例は、制限する性質を示すことなく本発明をより良く理解することができる。別段の記載がない限り、示された量は重量％である。
　【０１０５】
（実施例）
（実施例１〜３）保湿用Ｏ／Ｗ型エマルジョン　ＳＰＦ１５
　親油性遮断剤および高吸収性ポリマーを含む本発明による組成物（実施例１）および親油性日焼け止めおよび高吸収性ではないアクリルポリマーを含む２つの比較組成物（実施例２および３）を調製する。
　【０１０６】
　【表１】
　【０１０７】
手順
　相Ａを８５℃まで加熱し、次いで７５℃に戻す。
　【０１０８】
　相Ｂをミキサーを用いて７５℃で相Ａに加える。
　【０１０９】
　相ＣをＲａｙｎｅｒｉミキサーで撹拌しながら混合物（Ａ＋Ｂ）に加え、次いで、Ｒａｙｎｅｒｉミキサーで撹拌しながら周囲温度まで放冷する。
　【０１１０】
　同様の粘性を有する３つのクリームゲル剤を得る。
　【０１１１】
　本発明による実施例１の組成物は、脂っぽいベタついた膜を皮膚に残す実施例２および３の組成物と対照的に、適用中または生成物の皮膚への浸透後、適用においていかなるベタつく作用も有さず軟質で新鮮である。
　【０１１２】
（実施例４および５）日光防止Ｏ／Ｗ型エマルジョンＳＰＦ３０
　親油性遮断剤および高吸収性ポリマーを含む本発明による組成物（実施例４）および親油性日焼け止めおよび高吸収性でないアクリルポリマーを含む比較組成物（実施例５）を調製する。
　【０１１３】
　【表２】
　【０１１４】
手順
　相Ａを８５℃まで加熱し、次いで７５℃に戻す。
　【０１１５】
　相Ｂをミキサーを用いて７５℃で相Ａに加える。
　【０１１６】
　Ｒａｙｎｅｒｉミキサーで撹拌しながら、相Ｃを混合物（Ａ＋Ｂ）中で分散させ、次いで、相Ｄを加え、次いでさらに撹拌しながら相Ｅを加え、次いで、Ｒａｙｎｅｒｉミキサーで撹拌しながら周囲温度まで冷却を行わせる。
　【０１１７】
　本発明による実施例４の組成物は、適用時にネバネバした感触を皮膚に残し浸透後の粘着性の膜を残す実施例５の組成物と対照的に、適用中または生成物の皮膚への浸透後、適用においていかなるベタつく作用も有さず軟かくさわやかである。
（５７）【特許請求の範囲】
　【請求項１】
　少なくとも１つの水相を形成する成分および少なくとも１つの脂肪相を形成する成分、高吸収性ポリマー、
シリカ、少なくとも１種の親水性有機ＵＶ遮断剤、
親油性
Ｏ／Ｗ
　前記高吸収性ポリマーが、乾燥状態で、ポリマー自体の重量の１００〜
１０
架橋ポリアクリル酸ナトリウム
　【請求項２】
　
（削除）
　【請求項３】
　
（削除）
　【請求項４】
　
（削除）
　【請求項５】
　高吸収性ポリマーが、水の吸収後、水中で不溶性のままであることを特徴とする、請求項
１に
　【請求項６】
　高吸収性ポリマーが球状粒子の形態で提供されることを特徴とする、請求項１
または５に
　【請求項７】
　高吸収性ポリマーが、組成物の全重量に対して０．０３〜１５重量％の含有量で存在することを特徴とする、請求項
１、５、および６
　【請求項８】
　
（削除）
　【請求項９】
　親油性有機ＵＶ遮断剤が、パラアミノ安息香酸誘導体、サリチル酸誘導体、ケイ皮酸誘導体、ベンゾフェノンまたはアミノベンゾフェノン、アントラニル酸誘導体、ジベンゾイルメタン誘導体、β，β−ジフェニルアクリラート誘導体、ベンジリデンカンファー誘導体、フェニルベンゾイミダゾール誘導体、ベンゾトリアゾール誘導体、トリアジン誘導体、ビスレソルシニルトリアジン、イミダゾリン誘導体、ベンザルマロナート誘導体、４，４−ジアリールブタジエン誘導体、ベンゾオキサゾール誘導体、メロシアニン、ジフェニルブタジエンマロナート誘導体またはジフェニルブタジエンマロニトリル誘導体、カルコンおよびそれらの混合物
から選択されることを特徴とする、請求項
１
　【請求項１０】
　親油性有機ＵＶ遮断剤が、
　サリチル酸誘導体、
　ケイ皮酸誘導体、
　β，β−ジフェニルアクリラート誘導体、
　ジベンゾイルメタン誘導体、
　トリアジン誘導体、
　ベンゾトリアゾール誘導体、
　およびそれらの混合物
から選択されることを特徴とする、請求項
１
　【請求項１１】
　
（削除）
　【請求項１２】
　有機ＵＶ遮断剤が、組成物の全重量に対して０．０５〜３０重量％の割合で存在することを特徴とする、請求項１
、５〜７、９、および１０
　【請求項１３】
　請求項１
、５〜７、９、１０、および